(57)【要約】【課題】過度な変位電流が発生することを防止し、データドライバ集積回路の電気的損傷を防止することのできるプラズマディスプレイ装置を提供する。【解決手段】複数のスキャン電極と、複数のサステイン電極と、複数のデータ電極と、アドレス期間において複数個のスキャンタイプのうち、いずれかのスキャンタイプでスキャン電極をスキャニングするスキャン駆動部と、データ電極にデータを供給するデータ駆動部と、アドレス期間において、前記サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するサステイン駆動部とを含むプラズマディスプレイ装置。【選択図】図２
2007094349.tif 000002
【特許請求の範囲】
【請求項１】
複数のスキャン電極と、
該スキャン電極に平行な方向に形成される複数のサステイン電極と、
前記スキャン電極及び前記サステイン電極と交差するデータ電極と、
アドレス期間において、前記複数のスキャン電極をスキャニングする順序が互いに異なる複数個のスキャンタイプのうち、いずれかのスキャンタイプで前記スキャン電極をスキャニングするスキャン駆動部と、
前記いずれかのスキャンタイプに対応して、前記データ電極にデータを供給するデータ駆動部と、
前記アドレス期間において、前記サステイン電極に供給される第２サステインバイアス電圧よりさらに低い第１サステインバイアス電圧を、前記アドレス期間に先立つリセット期間のセットダウン期間から前記スキャン電極に最初のスキャンパルスが供給される以前までの期間で供給するサステイン駆動部と
を含むことを特徴とするプラズマディスプレイ装置。
【請求項２】
前記スキャン駆動部は、
入力される画像データに対応して、前記複数個のスキャンタイプの各々に該当する変位電流を演算し、前記複数個のスキャンタイプのうち、前記変位電流が最も小さな１つのスキャンタイプで前記スキャン電極をスキャニングすることを特徴とする、請求項１に記載のプラズマディスプレイ装置。
【請求項３】
前記スキャン電極は、前記スキャンタイプに応じて、所定の個数だけ分離された第１及び第２スキャン電極を含み、
前記データ電極は、第１及び第２データ電極を含み、
前記第１スキャン電極と第１及び第２データ電極との交差部に配置される第１及び第２放電セル、前記第２スキャン電極と前記第１及び第２データ電極との交差部に配置される第３及び第４放電セルを含み、
前記スキャン駆動部は、前記第１ないし第４放電セルのデータを比較して、前記第１放電セルに対する前記変位電流を算出することを特徴とする、請求項２に記載のプラズマディスプレイ装置。
【請求項４】
前記スキャン駆動部は、
前記第１放電セルのデータと前記第２放電セルのデータとを比較した第１結果と、前記第１放電セルのデータと前記第３放電セルのデータとを比較した第２結果と、前記第３放電セルのデータと前記第４放電セルのデータとを比較した第３結果とを求め、前記第１ないし第３結果の組み合わせに応じて、前記変位電流の算出式を決定し、決定された算出式を使用して算出される複数の変位電流を加算して、前記第１放電セルの総変位電流を算出することを特徴とする請求項３に記載のプラズマディスプレイ装置。
【請求項５】
隣接するデータ電極間のキャパシタンスをＣｍ１とし、データ電極とスキャン電極との間のキャパシタンスとデータ電極とサステイン電極との間のキャパシタンスとをＣｍ２とすれば、
前記スキャン駆動部は、
前記Ｃｍ１及びＣｍ２に基づいた前記第１ないし第３結果の組み合わせに応じて、前記変位電流を算出することを特徴とする請求項４に記載のプラズマディスプレイ装置。
【請求項６】
前記スキャン駆動部は、
１フレームの各サブフィールドごとに、前記複数個のスキャンタイプに対して変位電流を算出し、前記各サブフィールドごとに、前記変位電流が最小となるスキャンタイプで前記スキャン電極をスキャニングすることを特徴とする請求項２に記載のプラズマディスプレイ装置。
【請求項７】
前記スキャンタイプは、前記スキャン電極を複数のグループに分割しスキャニングする第１スキャンタイプを含み、
前記スキャン駆動部は、
前記変位電流が最小となるスキャンタイプが第１スキャンタイプである場合、該第１スキャンタイプにおいて、同じグループに属する各スキャン電極を連続してスキャニングすることを特徴とする請求項２に記載のプラズマディスプレイ装置。
【請求項８】
前記スキャン駆動部は、
入力される画像データに対応して、前記複数個のスキャンタイプ各々に該当する変位電流を演算し、前記複数個のスキャンタイプのうち、前記変位電流が予め定めたしきい変位電流以下であるスキャンタイプのうち、少なくとも１つ以上のスキャンタイプで前記スキャン電極をスキャニングすることを特徴とする請求項１に記載のプラズマディスプレイ装置。
【請求項９】
前記第１サステインバイアス電圧は、グラウンドレベルＧＮＤの電圧であることを特徴とする請求項１に記載のプラズマディスプレイ装置。
【請求項１０】
前記第２サステインバイアス電圧は、前記アドレス期間以後のサステイン期間において、前記スキャン電極または前記サステイン電極に供給されるサステイン電圧Ｖｓより小さいか、または同じ電圧であることを特徴とする請求項１に記載のプラズマディスプレイ装置。
【請求項１１】
前記サステイン駆動部は、
前記リセット期間のセットダウン期間の間、前記サステイン電極に前記第１サステインバイアス電圧を供給することを特徴とする請求項１に記載のプラズマディスプレイ装置。
【請求項１２】
前記サステイン駆動部は、
１フレームのサブフィールドのうち、所定のサブフィールドの前記アドレス期間において、前記サステイン電極に供給される第２サステインバイアス電圧よりさらに低い第１サステインバイアス電圧を、前記アドレス期間に先立つリセット期間のセットダウン期間から前記スキャン電極に最初のスキャンパルスが供給される以前までの期間で供給することを特徴とする請求項１に記載のプラズマディスプレイ装置。
【請求項１３】
前記サステイン駆動部は、
前記第１サステインバイアス電圧の供給以後に、前記第１サステインバイアス電圧から前記第２サステインバイアス電圧まで電圧が次第に立ち上がる立ち上がり波形を前記サステイン電極に供給することを特徴とする請求項１に記載のプラズマディスプレイ装置。
【請求項１４】
前記立ち上がり波形の電圧が、前記第１サステインバイアス電圧から前記第２サステインバイアス電圧まで立ち上がる傾斜は、
アドレス期間以後のサステイン期間において、スキャン電極またはサステイン電極に供給されるサステインパルスの電圧立ち上がり時の傾斜よりさらに緩やかなことを特徴とする請求項１３に記載のプラズマディスプレイ装置。
【請求項１５】
複数のスキャン電極及びサステイン電極と前記スキャン電極及びサステイン電極と交差するデータ電極が形成されたプラズマディスプレイパネルと、
入力される画像データのデータパターンのうち、第１データパターンと異なる第２データパターンでは、前記複数のスキャン電極のスキャン順序を前記第１データパターンの場合と異なるようにして、前記スキャン電極をスキャニングするスキャン駆動部と、
前記複数のスキャン電極のスキャン順序に対応して、前記データ電極にデータパルスを供給するデータ駆動部と、
アドレス期間において、前記サステイン電極に供給される第２サステインバイアス電圧よりさらに低い第１サステインバイアス電圧を、前記アドレス期間に先立つリセット期間のセットダウン期間から前記スキャン電極に最初のスキャンパルスが供給される以前までの期間で供給するサステイン駆動部と
を備えることを特徴とするプラズマディスプレイ装置。
【請求項１６】
前記第１データパターン及び前記第２データパターンのいずれかは、データのパターンに応じるロード（Load）値が予め設定されたしきいロード値以上であることを特徴とする請求項１５に記載のプラズマディスプレイ装置。
【請求項１７】
前記データのパターンに応じるロード値は、
該当するデータパターンの横方向のロード値と縦方向のロード値との加算により求められることを特徴とする請求項１６に記載のプラズマディスプレイ装置。
【請求項１８】
前記第１データパターン及び前記第２データパターンのいずれかは、データのパターンに応じる変位電流の大きさが、予め設定されたしきい電流以上であることを特徴とする請求項１５に記載のプラズマディスプレイ装置。
【請求項１９】
スキャン電極とサステイン電極及び前記スキャン電極とサステイン電極とに交差する方向に形成されたデータ電極を含むプラズマディスプレイ装置の駆動方法において、
アドレス期間において、前記複数のスキャン電極をスキャニングする順序が互いに異なる複数個のスキャンタイプのうち、いずれかのスキャンタイプで前記スキャン電極をスキャニングするステップと、
前記いずれかのスキャンタイプに対応して、前記データ電極にデータを供給するステップと、
前記アドレス期間において、前記サステイン電極に供給される第２サステインバイアス電圧よりさらに低い第１サステインバイアス電圧を、前記アドレス期間に先立つリセット期間のセットダウン期間から前記スキャン電極に最初のスキャンパルスが供給される以前までの期間で供給するステップと
を含むことを特徴とするプラズマディスプレイ装置の駆動方法。
【請求項２０】
複数のスキャン電極とサステイン電極及び前記スキャン電極とサステイン電極とに交差する方向に形成されたデータ電極を含むプラズマディスプレイ装置の駆動方法において、
入力される画像データのデータパターンのうち、第１データパターンと異なる第２データパターンでは、前記複数のスキャン電極のスキャン順序を前記第１データパターンの場合と異なるようにして、前記スキャン電極をスキャニングするステップと、
前記複数のスキャン電極のスキャン順序に対応して、前記データ電極にデータパルスを供給するステップと、
アドレス期間において、前記サステイン電極に供給される第２サステインバイアス電圧よりさらに低い第１サステインバイアス電圧を、前記アドレス期間に先立つリセット期間のセットダウン期間から前記スキャン電極に最初のスキャンパルスが供給される以前までの期間で供給するステップと
を含むことを特徴とするプラズマディスプレイ装置の駆動方法。
【発明の詳細な説明】
【技術分野】
【０００１】
本発明は、プラズマディスプレイ装置に関し、さらに詳細には、複数個のスキャンタイプのうち、少なくとも１つ以上のスキャンタイプでスキャン電極Ｙをスキャニングするプラズマディスプレイ装置及びその駆動方法に関する。
【背景技術】
【０００２】
通常、プラズマディスプレイパネルは、前面パネルと背面パネルとの間に形成された隔壁が１つのセルをなし、各セル内には、ネオン（Ｎｅ）、ヘリウム（Ｈｅ）またはネオン及びヘリウムの混合気体（Ｎｅ＋Ｈｅ）のような主放電気体と少量のキセノン（Ｘｅ）とを含有する不活性ガスが充填されている。このようなセルが複数個集まって、１つのピクセルをなす。例えば、赤色（Ｒ）セル、緑色（Ｇ）セル、青色（Ｂ）セルが集まって、１つのピクセルをなす。
【０００３】
また、このようなプラズマディスプレイパネルは、高周波電圧により放電される時、不活性ガスは、真空紫外線（Vacuum Ultraviolet rays）を発生し、隔壁の間に形成された蛍光体を発光させることにより、画像が具現される。このようなプラズマディスプレイパネルは、薄くて軽い構成が可能なので、次世代表示装置として注目されつつある。
【０００４】
このようなプラズマディスプレイパネルには、複数の電極、例えば、スキャン電極Ｙ、サステイン電極Ｚ、データ電極Ｘが形成され、このような複数の電極に所定の駆動電圧を供給して放電を発生させることにより画像を表示するが、このようなプラズマディスプレイパネルの電極に駆動電圧を供給するために、ドライバ集積回路（Driver Integrated Circuit）が電極に接続される。
【０００５】
例えば、プラズマディスプレイパネルの電極のうち、データ電極Ｘには、データドライバ集積回路が接続され、スキャン電極Ｙには、スキャンドライバ集積回路が接続される。
【０００６】
一方、プラズマディスプレイパネルの駆動の際、上述したドライバ集積回路には、変位電流（Ｉｄ：Displacement Current）が流れるようになり、このような変位電流は、色々な要因によりその大きさが変わる。
【０００７】
例えば、上述したデータドライバ集積回路に流れる変位電流は、プラズマディスプレイパネルの等価キャパシタンス（Capacitance）Ｃとデータドライバ集積回路のスイッチング回数により増減され、さらに詳細には、データドライバ集積回路に流れる変位電流は、プラズマディスプレイパネルの等価キャパシタンスＣが増加するにつれて増加し、またデータドライバ集積回路のスイッチング回数が増加するにつれて増加する。
【０００８】
一方、プラズマディスプレイパネルの等価キャパシタンスＣは、電極間の等価キャパシタンスＣにより決定され、これを添付した図１を参照して説明する。
【０００９】
図１は、プラズマディスプレイパネルの等価キャパシタンスＣを説明するための図である。
【００１０】
図１に示されているように、プラズマディスプレイパネルの等価キャパシタンスＣは、データ電極間、例えば、Ｘ１データ電極とＸ２データ電極との間の等価キャパシタンスＣｍ１と、データ電極とスキャン電極との間、例えば、Ｘ１データ電極とＹ１スキャン電極との間の等価キャパシタンスＣｍ２と、データ電極とサステイン電極との間、例えば、Ｘ１データ電極とＺ１サステイン電極との間の等価キャパシタンスＣｍ２とを含む。
【００１１】
一方、アドレス期間において、スキャン電極Ｙにスキャンパルスを供給して、スキャン電極Ｙを駆動するためのドライブ集積回路、例えば、スキャンドライブ集積回路と、アドレス期間において、データ電極Ｘにデータパルスを供給して、データ電極Ｘを駆動するためのドライブ集積回路、例えば、データドライブ集積回路に含まれたスイッチング素子の動作に応じて、スキャン電極Ｙまたはデータ電極Ｘに印加される電圧の状態が変わるので、上述したＣｍ１等価キャパシタンスとＣｍ２等価キャパシタンスとによって発生した変位電流（Ｉｄ）がデータ電極Ｘを介してデータドライバ集積回路に流れるようになる。
【００１２】
上述したように、プラズマディスプレイパネルの等価キャパシタンスが増加すれば、データドライバ集積回路に流れる変位電流（Ｉｄ）の大きさが増加すると共に、データドライバ集積回路のスイッチング回数が増加すれば、変位電流（Ｉｄ）の大きさが増加するが、このようなデータドライバ集積回路のスイッチング回数は、入力される画像データにより変わる。
【００１３】
特に、画像データが論理（Logic）値１と０とが繰り返される等の特定パターンの場合には、データドライバ集積回路に流れる変位電流の大きさが過度に増加して、データドライバ集積回路が消失される等の電気的損傷を受けるという問題がある。
【発明の開示】
【発明が解決しようとする課題】
【００１４】
本発明は、上述した従来の問題点を解決するためになされたものであって、その目的は、ドライバ集積回路の電気的損傷を防止するプラズマディスプレイ装置及びその駆動方法を提供することにある。
【課題を解決するための手段】
【００１５】
上述した目的を達成するため、本発明のプラズマディスプレイ装置は、複数のスキャン電極と、このようなスキャン電極に平行な方向に形成される複数のサステイン電極と、このようなスキャン電極及び前記サステイン電極と交差するデータ電極と、アドレス期間において、複数のスキャン電極をスキャニングする順序が互いに異なる複数個のスキャンタイプのうち、いずれかのスキャンタイプで前記スキャン電極をスキャニングするスキャン駆動部と、上述したいずれかのスキャンタイプに対応して、データ電極にデータを供給するデータ駆動部と、アドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するサステイン駆動部とを含むことを特徴とする。
【００１６】
また、上述した目的を達成するため、本発明のさらに他のプラズマディスプレイ装置は、複数のスキャン電極及びサステイン電極とスキャン電極及びサステイン電極と交差するデータ電極が形成されたプラズマディスプレイパネルと、入力される画像データのデータパターンのうち、第１データパターンと異なる第２データパターンでは、複数のスキャン電極のスキャン順序を第１データパターンの場合と異なるようにして、スキャン電極をスキャニングするスキャン駆動部と、複数のスキャン電極のスキャン順序に対応して、データ電極にデータパルスを供給するデータ駆動部と、アドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するサステイン駆動部とを備えることを特徴とする。
【００１７】
また、上述した目的を達成するための本発明のプラズマディスプレイ装置の駆動方法は、スキャン電極とサステイン電極及びスキャン電極とサステイン電極とに交差する方向に形成されたデータ電極を含むプラズマディスプレイ装置の駆動方法において、アドレス期間において、複数のスキャン電極をスキャニングする順序が互いに異なる複数個のスキャンタイプのうち、いずれかのスキャンタイプでスキャン電極をスキャニングするステップと、いずれかのスキャンタイプに対応して、データ電極にデータを供給するステップと、アドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するステップとを含むことを特徴とする。
【００１８】
また、上述した目的を達成するための本発明のプラズマディスプレイ装置の駆動方法は、複数のスキャン電極とサステイン電極及びスキャン電極とサステイン電極とに交差する方向に形成されたデータ電極を含むプラズマディスプレイ装置の駆動方法において、入力される画像データのデータパターンのうち、第１データパターンと異なる第２データパターンでは、複数のスキャン電極のスキャン順序を第１データパターンの場合と異なるようにして、スキャン電極をスキャニングするステップと、複数のスキャン電極のスキャン順序に対応して、データ電極にデータパルスを供給するステップと、アドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するステップとを含むことを特徴とする。
【００１９】
上述した目的を達成するための本発明のプラズマディスプレイ装置は、複数のスキャン電極と、このようなスキャン電極と平行した方向に形成される複数のサステイン電極と、このようなスキャン電極及びサステイン電極と交差するデータ電極と、アドレス期間において、複数のスキャン電極をスキャニングする順序が互いに異なる複数個のスキャンタイプのうち、いずれかのスキャンタイプでスキャン電極をスキャニングするスキャン駆動部と、いずれかのスキャンタイプに対応して、データ電極にデータを供給するデータ駆動部と、アドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するサステイン駆動部とを含むことを特徴とする。
【００２０】
ここで、上述したスキャン駆動部は、入力される画像データに対応して、複数個のスキャンタイプの各々に該当する変位電流を演算し、複数個のスキャンタイプのうち、変位電流が最も小さな１つのスキャンタイプでスキャン電極をスキャニングすることを特徴とする。
【００２１】
また、スキャン電極は、スキャンタイプに応じて、所定の個数だけ分離された第１及び第２スキャン電極を含み、データ電極は、第１及び第２データ電極を含み、第１スキャン電極と第１及び第２データ電極との交差部に配置される第１及び第２放電セル、第２スキャン電極と第１及び第２データ電極との交差部に配置される第３及び第４放電セルを含み、スキャン駆動部は、第１ないし第４放電セルのデータを比較して、第１放電セルに対する変位電流を算出することを特徴とする。
【００２２】
また、スキャン駆動部は、第１放電セルのデータと第２放電セルのデータとを比較した第１結果と、第１放電セルのデータと第３放電セルのデータとを比較した第２結果と、第３放電セルのデータと第４放電セルのデータとを比較した第３結果とを求め、第１ないし第３結果の組み合わせに応じて、変位電流の算出式を決定し、決定された算出式を使用して算出される変位電流を加算して、第１放電セルの総変位電流を算出することを特徴とする。
【００２３】
また、隣接するデータ電極間のキャパシタンスをＣｍ１とし、データ電極とスキャン電極との間のキャパシタンスとデータ電極とサステイン電極との間のキャパシタンスとをＣｍ２とすれば、スキャン駆動部は、Ｃｍ１及びＣｍ２に基づいた第１ないし第３結果の組み合わせに応じて、変位電流を算出することを特徴とする。
【００２４】
また、スキャン駆動部は、１フレームの各サブフィールドごとに、複数個のスキャンタイプに対して変位電流を算出し、各サブフィールドごとに、変位電流が最小となるスキャンタイプでスキャン電極をスキャニングすることを特徴とする。
【００２５】
また、スキャンタイプは、スキャン電極を複数のグループに分割しスキャニングする第１スキャンタイプを含み、スキャン駆動部は、変位電流が最小となるスキャンタイプが第１スキャンタイプである場合、このような第１スキャンタイプにおいて、同じグループに属する各スキャン電極を連続してスキャニングすることを特徴とする。
【００２６】
また、スキャン駆動部は、入力される画像データに対応して、複数個のスキャンタイプ各々に該当する変位電流を演算し、複数個のスキャンタイプのうち、変位電流が予め定めたしきい変位電流以下であるスキャンタイプのうち、少なくとも１つ以上のスキャンタイプでスキャン電極をスキャニングすることを特徴とする。
【００２７】
また、第１サステインバイアス電圧は、グラウンドレベルＧＮＤの電圧であることを特徴とする。
【００２８】
また、第２サステインバイアス電圧は、アドレス期間以後のサステイン期間において、スキャン電極またはサステイン電極に供給されるサステイン電圧Ｖｓより小さいか、または同じ電圧であることを特徴とする。
【００２９】
また、サステイン駆動部は、リセット期間のセットダウン期間の間、サステイン電極に第１サステインバイアス電圧を供給することを特徴とする。
【００３０】
また、サステイン駆動部は、１フレームのサブフィールドのうち、所定のサブフィールドのアドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給することを特徴とする。
【００３１】
また、サステイン駆動部は、第１サステインバイアス電圧の供給以後に、第１サステインバイアス電圧から第２サステインバイアス電圧まで電圧が次第に立ち上がる立ち上がり波形をサステイン電極に供給することを特徴とする。
【００３２】
また、立ち上がり波形の電圧が、第１サステインバイアス電圧から第２サステインバイアス電圧まで立ち上がる傾斜は、アドレス期間以後のサステイン期間において、スキャン電極またはサステイン電極に供給されるサステインパルスの電圧立ち上がり時の傾斜よりさらに緩やかなことを特徴とする。
【００３３】
また、上述した目的を達成するための本発明のさらに他のプラズマディスプレイ装置は、複数のスキャン電極及びサステイン電極とスキャン電極及びサステイン電極と交差するデータ電極が形成されたプラズマディスプレイパネルと、入力される画像データのデータパターンのうち、第１データパターンと異なる第２データパターンでは、複数のスキャン電極のスキャン順序を第１データパターンの場合と異なるようにして、スキャン電極をスキャニングするスキャン駆動部と、複数のスキャン電極のスキャン順序に対応して、データ電極にデータパルスを供給するデータ駆動部と、アドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するサステイン駆動部とを備える。
【００３４】
また、第１データパターン及び第２データパターンのいずれかは、データのパターンに応じるロード（Load）値が予め設定されたしきいロード値以上であることを特徴とする。
【００３５】
また、データのパターンに応じるロード値は、該当するデータパターンの横方向のロード値と縦方向のロード値との加算により求められることを特徴とする。
【００３６】
また、第１データパターン及び第２データパターンのいずれかは、データのパターンに応じる変位電流の大きさが、予め設定されたしきい電流以上であることを特徴とする。
【００３７】
また、上述した目的を達成するための本発明のプラズマディスプレイ装置の駆動方法は、スキャン電極とサステイン電極及びスキャン電極とサステイン電極とに交差する方向に形成されたデータ電極を含むプラズマディスプレイ装置の駆動方法において、アドレス期間において、複数のスキャン電極をスキャニングする順序が互いに異なる複数個のスキャンタイプのうち、いずれかのスキャンタイプでスキャン電極をスキャニングするステップと、いずれかのスキャンタイプに対応して、データ電極にデータを供給するステップと、アドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するステップとを含むことを特徴とする。
【００３８】
また、上述した目的を達成するための本発明のプラズマディスプレイ装置の駆動方法は、複数のスキャン電極とサステイン電極及びスキャン電極とサステイン電極とに交差する方向に形成されたデータ電極を含むプラズマディスプレイ装置の駆動方法において、入力される画像データのデータパターンのうち、第１データパターンと異なる第２データパターンでは、複数のスキャン電極のスキャン順序を第１データパターンの場合と異なるようにして、スキャン電極をスキャニングするステップと、複数のスキャン電極のスキャン順序に対応して、データ電極にデータパルスを供給するステップと、アドレス期間において、サステイン電極に供給される第２サステインバイアス電圧よりさらに低い第１サステインバイアス電圧を、アドレス期間に先立つリセット期間のセットダウン期間からスキャン電極に最初のスキャンパルスが供給される以前までの期間で供給するステップとを含むことを特徴とする。
【発明の効果】
【００３９】
本発明のプラズマディスプレイ装置及びその駆動方法は、複数個のスキャンタイプのうち、いずれかのスキャンタイプでスキャン電極Ｙをスキャニングすることにより、過度な変位電流が発生することを防止し、これによりデータドライバ集積回路の電気的損傷を防止するという効果がある。
【００４０】
また、本発明は、セットアップ期間以後からスキャン電極Ｙに最初のスキャンパルスが供給される前までサステイン電極Ｚに供給される電圧の大きさを調整することによって、アドレス放電を安定させて、これに伴い高速駆動を可能にする効果がある。
【発明を実施するための最良の形態】
【００４１】
以下、本発明に係る具体的な実施の形態を添付の図面を参照しつつ説明する。
【００４２】
〔プラズマディスプレイ装置の概略構成〕
図２は、本発明のプラズマディスプレイ装置を説明するための図である。
【００４３】
図２に示されているように、本発明のプラズマディスプレイ装置は、プラズマディスプレイパネル２００と、データ駆動部２０１と、スキャン駆動部２０２（走査駆動部）と、サステイン駆動部（維持駆動部）２０３と、サブフィールドマッピング部２０４と、データ整列部２０５と、を含む。
【００４４】
ここで、上述したプラズマディスプレイパネル２００は、前面パネル（図示せず）と背面パネル（図示せず）とが一定の間隔で合着される。プラズマディスプレイパネル２００は、複数の電極、例えば、スキャン電極Ｙと、このようなスキャン電極Ｙと平行な方向に形成されるサステイン電極Ｚと、がそれぞれ形成されている。また、このようなスキャン電極（走査電極）Ｙ及びサステイン電極（維持電極）Ｚと交差されるように、データ電極（アドレス電極）Ｘが形成されている。
【００４５】
スキャン駆動部２０２は、リセット期間の間、立ち上がりランプ波形Ｒａｍｐ-ｕｐと、立下りランプ波形Ｒａｍｐ-ｄｏｗｎとをスキャン電極Ｙに供給する。また、スキャン駆動部２０２は、サステイン期間の間には、サステインパルスＳＵＳをスキャン電極Ｙに供給する。特に、スキャン駆動部２０２は、アドレス期間において、上述した複数のスキャン電極Ｙをスキャニングする順序が互いに異なる複数個のスキャンタイプのうち、いずれかのスキャンタイプでスキャン電極Ｙをスキャニング（走査）する。すなわち、複数個のスキャンタイプのうち、いずれかのスキャンタイプに合せてアドレス期間の間、負極性スキャン電圧（-Ｖｙ）のスキャンパルス（Ｓｐ）をスキャン電極Ｙに供給する。
【００４６】
サステイン駆動部２０３は、サステイン期間の間、スキャン駆動部２０２と交互に動作して、サステインパルスＳＵＳをサステイン電極Ｚに供給する。サステイン駆動部２０３は、アドレス期間では、サステイン電極Ｚに供給される第２サステインバイアス電圧Ｖｚｂ２よりさらに低い第１サステインバイアス電圧Ｖｚｂ１を、アドレス期間に先立つリセット期間のセットダウン期間からスキャン電極Ｙに最初のスキャンパルスが供給される以前までの期間で供給する。
【００４７】
サブフィールドマッピング部２０４は、外部から、例えばハーフトーン（Half Tone）補正部から供給される画像データをサブフィールドマッピングして出力する。
【００４８】
データ整列部２０５は、上述したサブフィールドマッピング部２０４がサブフィールドマッピングしたデータを、上述したプラズマディスプレイパネル２００のそれぞれのデータ電極Ｘに対応されるように再配列する。
【００４９】
データ駆動部２０１は、タイミングコントローラ（図示せず）の制御に応じて、上述したデータ整列部２０５が再配列したデータをサンプリングし、ラッチ（Latch）した後、そのデータをデータ電極Ｘに供給する。特に、データ駆動部２０１は、上述したスキャン駆動部２０２がスキャン電極Ｙをスキャニングするスキャンタイプに対応して、データ電極Ｘにデータを供給する。
【００５０】
このような本発明のプラズマディスプレイ装置の各々の構成要素の機能、動作及び特徴は、以後の本発明のプラズマディスプレイ装置の駆動方法の説明によりさらに明確になるはずである。
【００５１】
ここで、本発明のプラズマディスプレイ装置の構成要素の１つであるプラズマディスプレイパネル２００の一例を、添付した図３を参照してさらに詳細に説明する。
【００５２】
〔プラズマディスプレイパネルの構成〕
図３は、本発明に係るプラズマディスプレイパネルの構造の一例を説明するための図である。
【００５３】
図３に示されているように、プラズマディスプレイパネルは、画像がディスプレイされる表示面である前面基板３０１と、前面基板３０１にスキャン電極Ｙ３０２とサステイン電極Ｚ３０３とが対をなして形成された複数の維持電極対が配列された前面パネル３００と、背面をなす背面基板３１１と、背面基板３１１に上述した複数の維持電極対と交差されるように複数のデータ電極Ｘ３１３が配列された背面パネル３１０と、を備えている。前面基板３０１と背面基板３１１とは一定の間隙で平行に結合される。
【００５４】
前面パネル３００には、１つの放電セルで相互放電させ、放電セルの発光を維持するためのスキャン電極Ｙ３０２とサステイン電極Ｚ３０３とが対をなして形成されている。すなわち、スキャン電極Ｙ３０２及びサステイン電極Ｚ３０３は、それぞれ、透明なＩＴＯ物質からなる透明電極ａと金属材質からなるバス電極ｂとから構成されている。スキャン電極Ｙ３０２及びサステイン電極Ｚ３０３は、放電電流を制限し、電極の対間を絶縁させる１つ以上の上部誘電体層３０４により覆われている。上部誘電体層３０４の上面には、放電条件を容易にするために、酸化マグネシウム（ＭｇＯ）を蒸着した保護層３０５が形成される。
【００５５】
背面パネル３１０は、複数個の放電空間すなわち、放電セルを形成させるためのストライプタイプ（またはウェルタイプ）の隔壁３１２が平行を維持し配列される。また、アドレス放電を行なって真空紫外線を発生させる複数のデータ電極Ｘ３１３が、隔壁３１２に対し平行に配置される。背面パネル３１０の上側面には、アドレス放電の際に画像表示のための可視光線を放出するＲ，Ｇ，Ｂ蛍光体３１４が塗布される。データ電極Ｘ３１３と蛍光体３１４との間には、データ電極Ｘ３１３を保護するための下部誘電体層３１５が形成される。
【００５６】
ここで、図３は、本発明のプラズマディスプレイ装置の駆動要素の１つであるプラズマディスプレイパネル構造の一例のみを図示し、説明したものであって、本発明がこの図３の構造に限定されるものではない。例えば、この図３では、前面パネル３００にスキャン電極Ｙ３０２とサステイン電極Ｚ３０３とが形成され、背面パネル３１０にデータ電極Ｘ３１３が形成されることのみを示したが、これとは異なって、前面パネル３００にスキャン電極Ｙ３０２、サステイン電極Ｚ３０３及びデータ電極Ｘ３１３の全てを形成することもできる。
【００５７】
または、上述したスキャン電極Ｙ３０２とサステイン電極Ｚ３０３とは、それぞれ透明電極ａとバス電極ｂとからなるものだけを示したが、これとは異なって、スキャン電極Ｙ３０２とサステイン電極Ｚ３０３の少なくとも１つは、バス電極ｂのみからなることもできる。
【００５８】
このようなプラズマディスプレイパネルを含む本発明のプラズマディスプレイ装置は、複数のサブフィールドに分割されたフレームで様々な画像の階調を具現するが、このような本発明のプラズマディスプレイ装置における階調具現方法を、添付した図４を参照して説明する。
【００５９】
図４は、本発明のプラズマディスプレイ装置における画像の階調を具現する方法を示した図である。
【００６０】
図４に示されているように、本発明のプラズマディスプレイ装置における画像の階調（Gray Level）の具現方法は、１フレームを発光回数の異なる複数のサブフィールドに分割し、更に各サブフィールドを、全ての放電セルを初期化するためのリセット期間（ＲＰＤ）、放電になる放電セルを選択するためのアドレス期間（ＡＰＤ）及び放電回数に応じて階調を具現するサステイン期間（ＳＰＤ）に分割して設定することによって実行される。
【００６１】
例えば、２５６階調で画像を表示しようとする場合、１/６０秒に該当するフレーム期間１６．６７ｍｓ）は、例えば、図４のように、８個のサブフィールド（ＳＦ１ないしＳＦ８）に分割され、８個のサブフィールド（ＳＦ１ないしＳＦ８）のそれぞれは、リセット期間、アドレス期間及びサステイン期間に更に分割される。
【００６２】
ここで、各サブフィールドのリセット期間及びアドレス期間は、各サブフィールドごとに同一である。
【００６３】
また、放電される放電セルを選択するためのアドレス放電は、データ電極Ｘとスキャン電極Ｙとの間の電圧差により発生する。
【００６４】
サステイン期間は、各サブフィールドでの階調重み付け値を決定する期間である。例えば、第１サブフィールドの階調重み付け値を２０に設定し、第２サブフィールドの階調重み付け値を２１に設定する方法で、各サブフィールドの階調重み付け値が２n（但し、n＝０，１，２，３，４，５，６，７）の割合で増加するように、各サブフィールドの階調重み付け値を決定できる。このように各サブフィールドにおいて、サステイン期間での階調重み付け値に応じて、各サブフィールドのサステイン期間で供給されるサステインパルスの個数を調整することによって、様々な画像の階調を具現できるようになる。
【００６５】
図４では、１つのフレームが８個のサブフィールドからなる場合のみを図示し、説明したが、これとは異なって、１つのフレームをなすサブフィールドの個数は、多様に変更できる。例えば、第１サブフィールドから第１２サブフィールドまでの１２個のサブフィールドで１つのフレームを構成することもでき、１０個のサブフィールドで１つのフレームを構成することもできる。
【００６６】
また、図４では、１つのフレームで階調重み付け値の大きさが増加する順序に応じてサブフィールドが配列されたが、これとは異なって、１つのフレームにおいて、サブフィールドが階調重み付け値が減少する順序に応じて配列されることもでき、または階調重み付け値に関係なくサブフィールドが配列されることもできる。
【００６７】
このような方法により画像の階調を具現する本発明のプラズマディスプレイ装置のさらに詳細な機能及び動作は、以後の本発明のプラズマディスプレイ装置の駆動方法の説明によりさらに明確になるはずである。
【００６８】
以下、添付した図５Ａないし図５Ｄを参照して、本発明のプラズマディスプレイ装置の駆動方法を説明する。
【００６９】
図５Ａないし図５Ｄは、本発明のプラズマディスプレイ装置の駆動方法を説明するための図である。
【００７０】
本発明のプラズマディスプレイ装置の駆動方法は、アドレス期間において、複数のスキャン電極Ｙをスキャニングする順序が互いに異なる複数個のスキャンタイプのうち、いずれかのスキャンタイプでスキャン電極Ｙをスキャニングし、かつ、アドレス期間において、サステイン電極Ｚに供給される第２サステインバイアス電圧Ｖｚｂ２よりさらに低い第１サステインバイアス電圧Ｖｚｂ１を、アドレス期間に先立つリセット期間のセットダウン期間からスキャン電極Ｙに最初のスキャンパルスが供給される以前までの期間で、サステイン電極Ｚに供給することである。ここで、まず、アドレス期間において、サステイン電極Ｚに供給される第２サステインバイアス電圧Ｖｚｂ２よりさらに低い第１サステインバイアス電圧Ｖｚｂ１を、アドレス期間に先立つリセット期間のセットダウン期間からスキャン電極Ｙに最初のスキャンパルスが供給される以前までの期間で供給することについて、先に詳細に説明した後、複数個のスキャンタイプのうち、いずれかのスキャンタイプでスキャン電極Ｙをスキャニングすることについては、図７以後の説明でさらに詳細に説明する。スキャン電極Ｙに最初のスキャンパルスが供給される以前までの期間は、例えば、スキャン電極Ｙにスキャン基準電圧Ｖｓｃが印加開始されるタイミングである。
【００７１】
まず、図５Ａに示されているように、本発明のプラズマディスプレイ装置の駆動方法は、上述した図４と同様に、リセット期間、アドレス期間及びサステイン期間に分けられた駆動波形により駆動される。これに付加的に、放電セル内に過度に形成された壁電荷を一定部分消去（Erase）するための消去期間がさらに含まれることができる。
【００７２】
リセット期間において、セットアップ期間には、スキャン電極Ｙに立ち上がりランプ波形Ｒａｍｐ−ｕｐが印加される。該立ち上がりランプ波形により、全画面の放電セル内には、弱い暗放電（Dark Discharge）が起きる。このセットアップ放電により、データ電極Ｘとサステイン電極Ｚ上とには、正極性の壁電荷が蓄積され、スキャン電極Ｙ上には、負極性の壁電荷が蓄積される。
【００７３】
セットダウン期間には、スキャン電極Ｙに立ち上がりランプ波形が供給された後、立ち上がりランプ波形のピック電圧より低い正極性電圧から低下し始めて、グラウンドＧＮＤレベル電圧以下の特定電圧レベルまで低下する立下りランプ波形Ｒａｍｐ−ｄｏｗｎが、放電セル内に微弱な消去放電を起こすことによって、放電セル内に過度に形成された壁電荷を十分に消去させるようになる。このセットダウン放電により、アドレス放電が安定的に起きることのできる程度の壁電荷が、放電セル内に均一に残留される。
【００７４】
アドレス期間には、スキャン基準電圧Ｖｓｃから下降する負極性スキャンパルスが、スキャン電極Ｙに印加されると共に、スキャンパルスに同期されて、アドレス電極Ｘに正極性のデータパルスが印加される。このスキャンパルスとデータパルスとの電圧差と、リセット期間に生成された壁電圧とが加算されながら、データパルスが印加される放電セル内には、アドレス放電が起きる。アドレス放電により選択された放電セル内には、サステイン電圧Ｖｓが印加される時放電を発生させることのできる程度の壁電荷が形成される。
【００７５】
このようなセットダウン期間とアドレス期間とでは、スキャン電極Ｙとの電圧差を低減して、スキャン電極Ｙとの誤放電が発生されないように正極性のバイアス電圧がサステイン電極Ｚに供給されるが、好ましくは、アドレス期間において、サステイン電極Ｚに供給される第２サステインバイアス電圧Ｖｚｂ２よりさらに低い第１サステインバイアス電圧Ｖｚｂ１が、サステイン電極Ｚにアドレス期間に先立つリセット期間のセットダウン期間からスキャン電極Ｙに最初のスキャンパルスが供給される以前までの期間で供給される。
【００７６】
このように、スキャン電極Ｙに最初のスキャンパルスが供給される以前で、第１サステインバイアス電圧Ｖｚｂ１をサステイン電極Ｚに供給する理由は、セットダウン期間で放電セル内の壁電荷が過度に消去されることを防止することによって、アドレス放電の際、アドレス放電に参加する壁電荷の量を十分に確保するためである。また、セットダウン期間において、スキャン電極Ｙに電圧が次第に下降するセットダウンパルスが供給される時、サステイン電極Ｚの電圧は、第２サステインバイアス電圧Ｖｚｂ２より低い第１サステインバイアス電圧Ｖｚｂ１が維持されるようにすることによって、サステイン電極Ｚの電圧を安定させるためである。
【００７７】
このように、アドレス放電の際、放電に参加する壁電荷の量を十分に確保し、またセットダウンの際の電圧を安定させることによって、高速スキャニングが可能となり、プラズマディスプレイ装置の高速駆動が可能となる。
【００７８】
サステイン期間には、スキャン電極Ｙとサステイン電極Ｚとのうち、少なくとも１つ以上に交互にサステインパルスＳＵＳが印加される。アドレス放電により選択された放電セルは、放電セル内の壁電圧とサステインパルスとが加算しながら、毎サステインパルスが印加されるごとに、スキャン電極Ｙとサステイン電極Ｚとの間にサステイン放電すなわち、表示放電が起きる。
【００７９】
なお、サステイン放電が完了した後、消去期間では、パルス幅と電圧レベルとが小さな消去ランプ波形Ｒａｍｐ−ｅｒｓの電圧がサステイン電極Ｚに供給されて、全画面の放電セル内に残留する壁電荷を消去させることができる。
【００８０】
次に、図５Ｂを説明すれば、上述した第１サステインバイアス電圧Ｖｚｂ１と第２サステインバイアス電圧Ｖｚｂ２との関係が示されている。すなわち、上述した第１サステインバイアス電圧Ｖｚｂ１は、第２サステインバイアス電圧Ｖｚｂ２よりは小さく、またグラウンドレベルＧＮＤの電圧よりは大きいか、または同じ電圧である。ここで、さらに好ましくは、このような第１サステインバイアス電圧Ｖｚｂ１は、グラウンドレベルＧＮＤの電圧である。
【００８１】
このような第１サステインバイアス電圧Ｖｚｂ１が、上述したリセット期間のセットダウン期間の間継続して、即ち全セットダウン期間の間、サステイン電極Ｚに供給されることが好ましい。
【００８２】
また、上述した第２サステインバイアス電圧Ｖｚｂ２は、アドレス期間以後のサステイン期間において、スキャン電極Ｙまたはサステイン電極Ｚに供給されるサステイン電圧Ｖｓより小さいか、または同じ電圧であることが好ましい。即ち、第２サステインバイアス電圧Ｖｚｂ２は、サステイン電圧Ｖｓ以下であることが好ましい。
【００８３】
一方、図５Ａでは、第１サステインバイアス電圧Ｖｚｂ１から第２サステインバイアス電圧Ｖｚｂ２に立ち上がる時は、その電圧が急激に立ち上がることを示したが、これとは異なって、第１サステインバイアス電圧Ｖｚｂ１から第２サステインバイアス電圧Ｖｚｂ２まで立ち上がる場合に、次第に立ち上がることが好ましいが、これを図５Ｃに示した。
【００８４】
図５Ｃに示されているように、サステイン電極Ｚに第１サステインバイアス電圧Ｖｚｂ１が供給された後、このような第１サステインバイアス電圧Ｖｚｂ１から第２サステインバイアス電圧Ｖｚｂ２まで電圧が次第に立ち上がる立ち上がり波形がサステイン電極Ｚに供給される。すなわち、サステイン電極Ｚに供給される電圧は、第１サステインバイアス電圧Ｖｚｂ１以後に次第に立ち上がって、第２サステインバイアス電圧Ｖｚｂ２に到達する。
【００８５】
このように、第１サステインバイアス電圧Ｖｚｂ１の供給以後に、このような第１サステインバイアス電圧Ｖｚｂ１から電圧が次第に第２サステインバイアス電圧Ｖｚｂ２まで立ち上がる立ち上がり波形をサステイン電極Ｚに供給すれば、スキャン電極Ｙに供給される駆動波形には、従来に比べて相対的にノイズの発生が低減される。このようにノイズが低減される理由は、電圧が次第に立ち上がる立ち上がり波形により瞬間電圧変化率が減少されることによって、パネルの静電容量（Capacitance）を介したカップリング（Coupling）の影響が低減されるためである。このように、ノイズの発生が低減されれば、プラズマディスプレイパネルの駆動の際、駆動が不安定になることを防止する。
【００８６】
このような立ち上がり波形の傾斜は、サステインパルスの傾斜と比較して、さらに緩やかに設定されることが好ましいが、このような立ち上がり波形の傾斜とサステインパルスの傾斜との比較を図５Ｄに示した。
【００８７】
図５Ｄにおいて、（ａ）のように、上述した立ち上がり波形の電圧が第１サステインバイアス電圧Ｖｚｂ１から第２サステインバイアス電圧Ｖｚｂ２まで立ち上がる傾斜、すなわち第１傾斜は、（ｂ）のように、アドレス期間以後のサステイン期間において、スキャン電極Ｙまたはサステイン電極Ｚに供給されるサステインパルスの電圧立ち上がり時の傾斜、すなわち第２傾斜より緩やかである。
【００８８】
一方、以上の説明では、１つのサブフィールドに限定して説明したが、これとは異なって、１つのフレーム内で所定のサブフィールドのみで第２サステインバイアス電圧Ｖｚｂ２より低い第１サステインバイアス電圧Ｖｚｂ１が供給されるように設定することもできるが、これに対して添付した図６を参照して説明する。
【００８９】
図６は、１つのフレーム内で所定のサブフィールドだけで第１サステインバイアス電圧Ｖｚｂ１を供給する一例を説明するための図である。
【００９０】
図６に示されているように、フレームのサブフィールドのうち、第１、２、３サブフィールドのアドレス期間において、サステイン電極Ｚに供給される第２サステインバイアス電圧Ｖｚｂ２よりさらに低い第１サステインバイアス電圧Ｖｚｂ１が、アドレス期間に先立つリセット期間のセットダウン期間からスキャン電極Ｙに最初のスキャンパルスが供給される以前までの期間でサステイン電極Ｚに供給され、残りのサブフィールドでは、セットダウン期間において、第２サステインバイアス電圧Ｖｚｂ２がサステイン電極Ｚに供給される。
【００９１】
さらに好ましくは、１つのフレーム内で階調重み付け値が相対的に低いサブフィールド例えば、第１、２、３サブフィールドでは、アドレス期間において、サステイン電極Ｚに供給される第２サステインバイアス電圧Ｖｚｂ２よりさらに低い第１サステインバイアス電圧Ｖｚｂ１が、アドレス期間に先立つリセット期間のセットダウン期間からスキャン電極Ｙに最初のスキャンパルスが供給される以前までの期間で供給されて、残りのサブフィールドでは、セットダウン期間において、第２サステインバイアス電圧Ｖｚｂ２が供給されるようにする。
【００９２】
このように、１つのフレーム内で所定のサブフィールド、好ましくは、階調重み付け値が相対的に低いサブフィールドのみで、アドレス期間において、サステイン電極Ｚに供給される第２サステインバイアス電圧Ｖｚｂ２よりさらに低い第１サステインバイアス電圧Ｖｚｂ１が、アドレス期間に先立つリセット期間のセットダウン期間からスキャン電極Ｙに最初のスキャンパルスが供給される以前までの期間で供給されるようにする理由は、階調重み付け値が低いサブフィールドは、アドレス期間でのアドレス放電が不安定になる可能性が相対的に大きいためである。したがって、階調重み付け値が相対的に低いサブフィールドのアドレス期間において、サステイン電極Ｚに供給される第２サステインバイアス電圧Ｖｚｂ２よりさらに低い第１サステインバイアス電圧Ｖｚｂ１が、アドレス期間に先立つリセット期間のセットダウン期間からスキャン電極Ｙに最初のスキャンパルスが供給される以前までの期間で供給されるようにすることによって、アドレス放電が不安定になる可能性が相対的に大きいサブフィールド、すなわち階調重み付け値が相対的に低いサブフィールドでのアドレス放電を安定させて、全体駆動を安定させることができる。
【００９３】
次に、本発明のプラズマディスプレイ装置の駆動方法は、上述したように、アドレス期間において、サステイン電極Ｚに供給される第２サステインバイアス電圧Ｖｚｂ２よりさらに低い第１サステインバイアス電圧Ｖｚｂ１を、アドレス期間に先立つリセット期間のセットダウン期間からスキャン電極Ｙに最初のスキャンパルスが供給される以前までの期間で供給し、かつアドレス期間において、複数のスキャン電極Ｙをスキャニングする順序が互いに異なる複数個のスキャンタイプのうち、１つのスキャンタイプでスキャン電極Ｙをスキャニングするものであるが、このようなアドレス期間において、複数のスキャン電極Ｙをスキャニングする順序が互いに異なる複数個のスキャンタイプのうち、いずれかのスキャンタイプでスキャン電極Ｙをスキャニングする方法を説明すれば、以下の通りである。
【００９４】
ここで、上述した複数個のスキャンタイプのうち、いずれかのスキャンタイプを決定する重要要因は、画像データに応じる変位電流の大きさであるが、これを添付した図７を参照して説明すれば、以下の通りである。
【００９５】
図７は、入力される画像データに応じる変位電流の大きさを説明するための図である。
【００９６】
図７に示されているように、（ａ）のように、２番目のスキャン電極Ｙ２がスキャンされる時、すなわち２番目のスキャン電極Ｙ２にスキャンパルスが供給される時のデータ電極、例えばＸ１データ電極ないしＸｍデータ電極には、論理（Logic）値１（Ｈｉｇｈ）と０（Ｌｏｗ）とが交互に現れる画像データが印加される。また、３番目のスキャン電極Ｙ３がスキャンされる時、データ電極Ｘには、論理値０が維持される。論理値１は、該当データ電極Ｘにデータパルスの電圧、すなわちデータ電圧Ｖｄが印加された状態であり、論理値０は、該当データ電極に０Ｖが印加された状態、すなわちデータ電圧が供給されない状態である。
【００９７】
すなわち、１つのスキャン電極Ｙ上の放電セルに論理値１と０とが交互に変わる画像データが印加され、次のスキャン電極Ｙ上の放電セルには、論理値０が維持される画像データが印加される場合である。この時、各データ電極Ｘに流れる変位電流（Ｉｄ）は、次の数式１の通りである。
Ｉｄ＝１/２（Ｃｍ１＋Ｃｍ２）Ｖｄ・・・（数式１）
Ｉｄ：各データ電極Ｘに流れる変位電流
Ｃｍ１：データ電極Ｘ間の等価キャパシタンス
Ｃｍ２：データ電極Ｘとスキャン電極Ｙまたはデータ電極Ｘとサステイン電極Ｚとの間の等価キャパシタンス
Ｖｄ：各データ電極Ｘに印加されるデータパルスの電圧
次に、（ｂ）のように、２番目のスキャン電極Ｙ２がスキャンされる時、データ電極（Ｘ１ないしＸｍ）には、論理値１が維持された画像データが印加される。また、３番目のスキャン電極Ｙ３がスキャンされる時、データ電極（Ｘ１ないしＸｍ）には、論理値０が維持された画像データが印加される。論理値０は、上述したように該当Ｘ電極に０Ｖが印加された状態、すなわちデータ電圧Ｖｄが供給されない状態である。
【００９８】
すなわち、１つのスキャン電極Ｙ上の放電セルには、１が維持された画像データが印加され、次のスキャン電極Ｙ上の放電セルには、論理値０が維持された画像データが印加される場合である。また、１つのスキャン電極Ｙ上の放電セルに０が維持される画像データが印加されて、次のスキャン電極Ｙ上の放電セルには、論理値１が維持される画像データが印加される場合も同様である。
【００９９】
この時、各データ電極Ｘに流れる変位電流（Ｉｄ）は、数式２の通りである。
Ｉｄ＝１/２（Ｃｍ２）Ｖｄ・・・（数式２）
Ｉｄ：各データ電極Ｘに流れる変位電流
Ｃｍ２：データ電極Ｘとスキャン電極Ｙまたはデータ電極Ｘとサステイン電極Ｚとの間の等価キャパシタンス
Ｖｄ：各データ電極Ｘに印加されるデータパルスの電圧
次に、（ｃ）のように、２番目のスキャン電極Ｙ２がスキャンされる時、データ電極（Ｘ１ないしＸｍ）には、論理値１と０とが交互に変わる画像データが印加される。また、３番目のスキャン電極Ｙ３がスキャンされる時、２番目のスキャン電極Ｙ２上の放電セルに印加された画像データの位相とデータの位相とが１８０゜の差が出るように、論理値０と１とが交互に変わる画像データが印加される。
【０１００】
すなわち、１つのスキャン電極Ｙ上の放電セルに論理値１と０とが交互に変わる画像データが印加され、次のスキャン電極Ｙ上の放電セルに上述した１つのスキャン電極Ｙ上の放電セルに印加された画像データの位相とデータの位相とが１８０゜の差が出るように、論理値０と１とが交互に変わる画像データが印加されるものである。
【０１０１】
この時、各データ電極に流れる変位電流（Ｉｄ）は、次の数式３の通りである。
Ｉｄ＝１/２（４Ｃｍ１＋Ｃｍ２）Ｖｄ・・・（数式３）
Ｉｄ：各データ電極Ｘに流れる変位電流
Ｃｍ２：データ電極Ｘとスキャン電極Ｙまたはデータ電極Ｘとサステイン電極Ｚとの間の等価キャパシタンス
Ｖｄ：各データ電極Ｘに印加される電圧
次に、（ｄ）のように、２番目のスキャン電極Ｙ２がスキャンされる時、データ電極（Ｘ１ないしＸｍ）には、論理値１と０とが交互に変わる画像データが印加される。また、３番目のスキャン電極Ｙ３がスキャンされる時、２番目のスキャン電極Ｙ２上の放電セルに印加された画像データの位相と同一になるように、論理値１と０とが交互に変わる画像データが印加される。
【０１０２】
すなわち、１つのスキャン電極上の放電セルに論理値１と０とが交互に変わる画像データが印加され、次のスキャン電極Ｙ上の放電セルには、上述した１つのスキャン電極Ｙ上の放電セルに印加された画像データの位相と同一になるように、論理値１と０とが交互に変わる画像データが印加されることである。
【０１０３】
この時、各データ電極Ｘに流れる変位電流（Ｉｄ）は、次の数式４の通りである。
Ｉｄ＝０・・・（数式４）
Ｉｄ：各データ電極Ｘに流れる変位電流
Ｃｍ２：データ電極Ｘとスキャン電極Ｙまたはデータ電極Ｘとサステイン電極Ｚとの間の等価キャパシタンス
Ｖｄ：各データ電極Ｘに印加される電圧
次に、（ｅ）のように、２番目のスキャン電極Ｙ２がスキャンされる時、データ電極（Ｘ１ないしＸｍ）には、論理値０が維持された画像データが印加される。また、３番目のスキャン電極Ｙ３がスキャンされる時、３番目のスキャン電極Ｙ３には、論理値０が維持された画像データが印加される。
【０１０４】
すなわち、１つのスキャン電極Ｙ上の放電セルには、論理値０が維持された画像データが印加され、次のスキャン電極Ｙ上の放電セルにも、論理値０が維持された画像データが印加される。
【０１０５】
また、１つのスキャン電極Ｙ上の放電セルには、論理値１が維持された画像データが印加され、次のスキャン電極Ｙ上の放電セルには、論理値１が維持された画像データが印加される場合も同様である。
【０１０６】
この時、各データ電極Ｘに流れる変位電流（Ｉｄ）は、次の数式５の通りである。
Ｉｄ＝０・・・（数式５）
Ｉｄ：各データ電極Ｘに流れる変位電流
Ｃｍ２：データ電極Ｘとスキャン電極Ｙまたはデータ電極Ｘとサステイン電極Ｚとの間の等価キャパシタンス
Ｖｄ：各データ電極Ｘに印加される電圧
上述した数式１ないし数式５から分かるように、１つのスキャン電極Ｙ上の放電セルに論理値１と０とが交互に変わる画像データが印加され、次のスキャン電極Ｙ上の放電セルに上述した１つのスキャン電極Ｙ上の放電セルに印加された画像データの位相とデータの位相が１８０゜の差が出るように、論理値１と０とが交互に変わる画像データが印加される場合、データ電極Ｘに最も大きな変位電流が流れる。
【０１０７】
これに対し、１つのスキャン電極Ｙ上の放電セルに論理値１と０とが交互に変わる画像データが印加され、次のスキャン電極Ｙ上の放電セルには、上述した１つのスキャン電極Ｙ上の放電セルに印加された画像データの位相と同一になるように、論理値１と０とが交互に変わる画像データが印加される場合（数式４の場合）、あるいは１つのスキャン電極Ｙ上の放電セルと次のスキャン電極Ｙ上の放電セルの全てに論理値０または１の何れかが持続する画像データが印加される場合（数式５の場合）、データ電極Ｘに最も小さな変位電流が流れる。
【０１０８】
以上の図７の説明から、図７の（ｃ）のように、互いに異なる論理の画像データが交互に供給される場合、最大の変位電流が流れ、この場合、データドライバ集積回路が電気的損傷を受ける可能性が最も大きいであることが分かる。
【０１０９】
言い換えれば、１つのデータ電極Ｘを担当するデータドライバ集積回路の観点から見れば、図７の（ｃ）のような画像データは、データドライバ集積回路のスイッチング回数が最も多い場合であるため、データドライバ集積回路のスイッチング動作回数が多いほど、データドライバ集積回路に流れる変位電流が大きくなり、これに伴い、データドライバ集積回路が電気的損傷を受ける可能性が増加することが分かる。
【０１１０】
以下、このような画像データと、これに応じる変位電流の大きさを考慮して、スキャン順序を変更する方法の一例を、添付した図８Ａないし図８Ｂを参照して説明する。
【０１１１】
図８Ａないし図８Ｂは、画像データと、これに応じる変位電流を考慮したスキャン順序を変更する方法の一例を説明するための図である。
【０１１２】
図８Ａと図８Ｂに示されているように、図８Ａと図８Ｂとは、全て同じ画像データであることが分かる。但し、そのスキャン順序、すなわちスキャニング順序だけが異なる。
【０１１３】
まず、図８Ａにおいて、（ｂ）のようなパターンの画像データが供給される場合、（ａ）のような順序でスキャン電極Ｙをスキャニングすれば、スキャン電極Ｙの配列方向に画像データの論理値が変わる頻度が相対的に頻繁になるので、相対的に大きい変位電流が発生する。
【０１１４】
このようなパターンの画像データを、図８Ｂの（ａ）のようにスキャン電極Ｙのスキャニング順序を再調整すれば、画像データが図８Ｂの（ｂ）のように配列される結果を招く。そうすると、スキャン電極Ｙの配列方向に画像データの論理値が変わる頻度が減少して、発生する変位電流もまた減少する。
【０１１５】
結果的に、図８Ｂのように、画像データに応じてスキャン電極Ｙのスキャニング順序を調整すれば、データドライバ集積回路に流れる変位電流の大きさを減少させて、データドライバ集積回路が電気的損傷を受ける可能性を減少させる。
【０１１６】
このような図８Ａないし図８Ｂのような原理に基づいて、本発明のプラズマディスプレイ装置の駆動方法が開発されたが、このような本発明のプラズマディスプレイ装置の駆動方法における他の採用例を、添付した図９を参照して説明する。
【０１１７】
図９は、本発明のプラズマディスプレイ装置の駆動方法における他の採用例を説明するための図である。
【０１１８】
図９に示されているように、本発明に係るプラズマディスプレイ装置の駆動方法は、総４つのスキャンタイプＴｙｐｅ、すなわち第１タイプＴｙｐｅ１、第２タイプＴｙｐｅ２、第３タイプＴｙｐｅ３、第４タイプＴｙｐｅ４のスキャン順序の中から選択されたいずれかのスキャンタイプでスキャニングを行なうことができる。
【０１１９】
第１スキャンタイプＴｙｐｅ１のスキャン順序は、Ｙ１-Ｙ２-Ｙ３-．．．．．．のように、スキャン電極Ｙが配列された順にスキャニングされる。
【０１２０】
第２スキャンタイプＴｙｐｅ２のスキャン順序は、第１グループに属するスキャン電極Ｙを順次にスキャンし、第２グループに属するスキャン電極Ｙを順次にスキャンする。すなわち、Ｙ１-Ｙ３-Ｙ５-．．．．．．Ｙｎ−１スキャン電極をスキャンし、Ｙ２-Ｙ４-Ｙ６-．．．．．．Ｙｎスキャン電極をスキャニングする。
【０１２１】
第３スキャンタイプＴｙｐｅ３のスキャン順序は、第１グループに属するスキャン電極Ｙを順次にスキャニングし、第２グループに属するスキャン電極Ｙを順次にスキャニングした後、第３グループに属するスキャン電極Ｙを順次にスキャニングする。すなわち、Ｙ１-Ｙ４-Ｙ７-．．．．．．Ｙｎ−２スキャン電極をスキャニングし、Ｙ２-Ｙ５-Ｙ８-．．．．．．Ｙｎ−１スキャン電極をスキャニングした後、Ｙ３-Ｙ６-Ｙ９-．．．．．．Ｙｎスキャン電極をスキャニングする。
【０１２２】
第４スキャンタイプＴｙｐｅ４のスキャン順序は、第１グループに属するスキャン電極Ｙを順次にスキャンし、第２グループに属するスキャン電極Ｙを順次にスキャンし、第３グループに属するスキャン電極Ｙを順次にスキャンした後、第４グループに属するスキャン電極Ｙを順次にスキャンする。すなわち、Ｙ1‐Ｙ５‐Ｙ９‐．．．．．．Ｙｎ−３スキャン電極をスキャンし、Ｙ２-Ｙ６-Ｙ１０-．．．．．．Ｙｎ−２スキャン電極をスキャンし、Ｙ３-Ｙ７-Ｙ１１-．．．．．．Ｙｎ−１スキャン電極をスキャンした後、Ｙ４-Ｙ８-Ｙ１２-．．．．．．Ｙｎスキャン電極をスキャンする。
【０１２３】
この図９では、総４つののスキャンタイプがあり、このような４つのスキャンタイプのうち、いずれかのスキャンタイプを選択して、スキャン電極Ｙをスキャニングする方法のみを図示し説明したが、これとは異なって、２つのスキャンタイプ、３つのスキャンタイプ、５つのスキャンタイプなど、多様な個数のスキャンタイプを設けて、このようなスキャンタイプのうち、いずれかのスキャンタイプを選択して、スキャン電極Ｙをスキャニングすることも可能である。
【０１２４】
このように、複数個のスキャンタイプを設けて、このような複数個のスキャンタイプのうち、いずれかのスキャンタイプでスキャン電極Ｙをスキャニングするための、上述した図２での符号２０２のスキャン駆動部のさらに詳細な構成を、添付された図１０を参照して説明すれば、次の通りである。
【０１２５】
図１０は、本発明のプラズマディスプレイ装置の駆動方法を実現するためのスキャン駆動部の構成及び動作をさらに詳細に説明するための図である。
【０１２６】
図１０に示されているように、本発明に係るプラズマディスプレイ装置の駆動方法を具現するためのスキャン駆動部は、データ比較部１０００とスキャン順序決定部１００１とを含むことができる。
【０１２７】
データ比較部１０００は、サブフィールドマッピング部３０４がマッピングした画像データを供給されて、特定スキャン電極Ｙライン上に位置する１つ以上の放電セルからなるセルグループの画像データと複数個のスキャンタイプ各々に応じて、このようなセルグループの垂直及び水平方向に位置したセルグループの画像データと比較して、変位電流の大きさを計算する。
【０１２８】
この時、セルグループとは、１つ以上のセルがグループ化されて、１つの単位化したことを意味する。例えば、Ｒ，Ｇ，Ｂに該当するセルが集まり１つのピクセルをなすので、ピクセルはセルグループに該当する。
【０１２９】
スキャン順序決定部１００１は、データ比較部１０００が計算した変位電流の大きさに対する情報を利用して、変位電流の大きさが最も小さなスキャンタイプに応じて、スキャン順序を決定する。
【０１３０】
このようにスキャン順序決定部１００１が決定したスキャン順序に対する情報は、データ整列部３０５に印加され、ここで、データ整列部３０５は、上述したスキャン順序決定部１００１が決定したスキャン順序に応じて、上述したサブフィールドマッピング部３０４がサブフィールドマッピングした画像データを再整列し、このように再整列した画像データをデータ電極Ｘに供給する。
【０１３１】
このような図１０のスキャン駆動部２０２の構成を、上述した図９の場合と関連付けて説明すれば、上述した図９における４つのスキャンタイプに対する変位電流の大きさを、図１０のデータ比較部１０００がそれぞれ計算し、このような４つのスキャンタイプに対する変位電流の大きさに対する情報を、スキャン順序決定部１００１に印加すれば、スキャン順序決定部１００１は、上述した４つのスキャンタイプに対するそれぞれの変位電流の大きさを互いに比較して、変位電流の大きさが最も小さな１つのスキャンタイプを選択する。例えば、第１スキャンタイプに対する変位電流の大きさを１０、第２スキャンタイプに対する変位電流の大きさを１５、第３スキャンタイプに対する変位電流の大きさを１１、第４スキャンタイプに対する変位電流の大きさを８であると仮定すれば、スキャン順序決定部１００１は、第４スキャンタイプを選択し、このような第４スキャンタイプに応じて、スキャン電極Ｙのスキャニング順序を決定するようになるものである。
【０１３２】
一方、上述した総４つのスキャンタイプの中で、第２スキャンタイプを除外した全てのスキャンタイプ、すなわち第１、３、４スキャンタイプに対する変位電流の大きさが、データドライバ集積回路に電気的損傷を与えないだけ十分に小さいならば、スキャン順序決定部１００１は、第１、３、４スキャンタイプのうち、いかなるタイプでも選択できる。
【０１３３】
ここで、上述したようなデータドライバ集積回路に電気的損傷を与えないだけ十分に小さな電流に対する情報は、予め設定されることができる。すなわち、データドライバ集積回路に電気的損傷を与えないだけ十分に小さな電流の最大値を、予めしきい電流に設定しておき、このようなしきい電流以下の変位電流が発生されるスキャンタイプを選択することもできる。
【０１３４】
このような図１０の符号１０００のデータ比較部に対して、添付した図１１を参照してさらに詳細に説明する。
【０１３５】
図１１は、本発明のプラズマディスプレイ装置のスキャン駆動部に含まれるデータ比較部１０００に含まれる基本回路ブロックの構成図である。
【０１３６】
図１１に示されているように、本発明のプラズマディスプレイ装置において、スキャン駆動部のデータ比較部１０００に含まれる基本回路ブロックは、メモリ部７３１、第１バッファｂｕｆ１、第２バッファｂｕｆ２、第１判断部ないし第３判断部７３４-１、７３４‐２、７３４‐３、デコーダ部７３５、第１ないし第３加算部７３６‐１、７３６-２、７３６-３、第１ないし第３電流計算部７３７-１、７３７-２、７３７-３及び電流加算部７３８を含む。
【０１３７】
ｌ-１番目のスキャン電極、すなわちｌ-１番目のスキャン電極ラインに該当する画像データが、メモリ部７３１に格納され、ｌ番目のスキャン電極、すなわちｌ番目のスキャン電極ラインに該当する画像データが入力される。
【０１３８】
第１バッファｂｕｆ１は、ｌ番目のスキャン電極ラインに該当する放電セルのうち、ｑ-１番目の放電セルの画像データを一時格納する。
【０１３９】
第２バッファｂｕｆ２は、メモリ部７３１に格納されたｌ-１番目のスキャン電極ラインに該当する放電セルのうち、ｑ-１番目の放電セルの画像データを一時格納する。
【０１４０】
第１判断部７３４-１は、排他的論理和ゲート素子（exclusive OR gate）を含んで、ｌ番目のスキャン電極ラインのｑ番目の放電セルの画像データと第１バッファｂｕｆ１に格納されたｌ番目のスキャン電極ラインのｑ-１番目の放電セルの画像データとを比較して、互いに異なると、１を出力し、互いに同じであると、０を出力する。
【０１４１】
第２判断部７３４-２は、排他的論理和ゲート素子を含んで、ｌ-１番目のスキャン電極ラインのｑ番目の放電セルの画像データと第２バッファｂｕｆ２に格納されたｌ-１番目のスキャン電極ラインのｑ-１番目の放電セルの画像データとを比較して、互いに異なると、１を出力し、互いに同じであると、０を出力する。
【０１４２】
第３判断部７３４-３は、排他的論理和ゲート素子を含んで、第１バッファｂｕｆ１に格納されたｌ番目のスキャン電極ラインのｑ-１番目の放電セルの画像データと第２バッファｂｕｆ２に格納されたｌ-１番目のスキャン電極ラインのｑ-１番目の放電セルの画像データとを比較して、互いに異なると、１を出力し、互いに同じであると、０を出力する。
【０１４３】
このような、構成のデータ比較部１０００の基本回路ブロックに含まれた第１ないし第３判断部の動作を、添付した図１２を参照してさらに詳細に説明する。
【０１４４】
図１２は、データ比較部の第１判断部ないし第３判断部の動作をさらに詳細に説明するための図である。ここで、＜1＞＜2＞及び<3>それぞれは、第１判断部７３４-１、第２判断部７３４-２及び第３判断部７３４-３の動作に該当するものである。
【０１４５】
図１２に示されているように、本発明のデータ比較部１０００は、第１判断部７３４-１ないし第３判断部７３４-３により、１つのセルの水平方向と垂直方向とにある隣接セルの画像データを比較して、その変化を判断する。
【０１４６】
デコーダ７３５は、第１判断部ないし第３判断部７３４-１、７３４-２、７３４-３それぞれの出力信号に該当する３ビット信号を出力する。
【０１４７】
図１３は、本発明のデータ比較部の基本回路ブロックに含まれた第１ないし第３判断部７３４-１、７３４-２、７３４-３の出力信号に応じる画像データのパターン内容を示した図である。
【０１４８】
図１３に示されているように、第１判断部ないし第３判断部７３４-１、７３４-２、７３４-３のそれぞれの出力信号が（０，０，０）であれば、図７の（ｅ）に示した画像データのパターンの状態と同様である。したがって、出力信号が（０，０，０）であれば、変位電流（Ｉｄ）は、０となる。
【０１４９】
第１ないし第３判断部７３４-１、７３４-２、７３４-３のそれぞれの出力信号が（０，０，１）であれば、図７の（ｂ）に示した画像データのパターン状態と同様である。したがって、出力信号が（０，０，１）であれば、変位電流（Ｉｄ）は、Ｃｍ２に比例する。
【０１５０】
第１ないし第３判断部７３４-１、７３４-２、７３４-３のそれぞれの出力信号が（０，１，０）、（０，１，１）、（１，０，０）及び（１，０，１）のうち、いずれかであれば、図７の（ａ）に示した画像データのパターンの状態と同様である。したがって、出力信号が（０，１，０）、（０，１，１）、（１，０，０）及び（１，０，１）のうち、いずれかであれば、変位電流（Ｉｄ）は、Ｃｍ１＋Ｃｍ２に比例する。
【０１５１】
第１ないし第３判断部７３４-１、７３４-２、７３４-３のそれぞれの出力信号が（１，１，０）であれば、図７の（ｄ）に示した画像データのパターンの状態と同様である。したがって、出力信号が（１，１，０）であれば、変位電流（Ｉｄ）は、０となる。
【０１５２】
第１ないし第３判断部７３４-１、７３４-２、７３４-３のそれぞれの出力信号が（１，１，１）であれば、図７の（ｃ）に示した画像データのパターンの状態と同様である。したがって、出力信号が（１，１，１）であれば、変位電流（Ｉｄ）は、（４Ｃｍ１＋Ｃｍ２）に比例する。
【０１５３】
また、図１１の第１加算部ないし第３加算部７３６-１、７３６-２、７３６-３は、デコーダ７３５から出力された特定３ビット信号の出力回数を加算し出力する。
【０１５４】
すなわち、第１加算部７３６-１は、デコーダ７３５が（０，１，０）、（０、１，１）、（１，０，０）及び（１，０，１）のうち、いずれかを出力する回数を加算Ｃ１する。第２加算部７３６-２は、デコーダ７３５が（０，０，１）を出力する回数を加算Ｃ２する。第３加算部７３６-３は、デコーダ７３５が（１，１，１）を出力する回数を加算Ｃ３する。
【０１５５】
第１ないし第３電流計算部７３７-１、７３７-２、７３７-３のそれぞれは、第１加算部７３６-１、第２加算部７３６-２及び第３加算部７３６-３からＣ１、Ｃ２及びＣ３を受け取って、変位電流の大きさを計算する。
【０１５６】
電流加算部７３８は、第１ないし第３電流計算部７３７-１、７３７-２、７３７-３のそれぞれから計算された変位電流の大きさを加算する。
【０１５７】
図１４は、本発明のプラズマディスプレイ装置におけるスキャン駆動部のデータ比較部１０００とスキャン順序決定部１００１とのブロック構成図である。
【０１５８】
図１４に示されているように、本発明のプラズマディスプレイ装置におけるスキャン駆動部のデータ比較部１０００は、図１４に示された４つの基本回路ブロックが接続されている構造であり、スキャン順序決定部１００１は、４つの基本回路ブロックの出力を比較して、最も小さな変位電流を発生するスキャン順序を決定する。ここ図１４の場合は、上述した図９のように、総４つのスキャンタイプを含んでいる場合である。すなわち、総４つのスキャンタイプのうち、いずれかのスキャンタイプでスキャン電極Ｙをスキャニングするケースに該当するデータ比較部１０００とスキャン順序決定部１００１との構成であることを予め明らかにする。
【０１５９】
データ比較部１０００は、第１ないし第４メモリ部９０１、９０３、９０５、９０７及び第１電流判別部ないし第４電流判別部９１０、９３０、９５０、９７０を含む。すなわち、１つのメモリ部と１つの電流判別部とが図１１に示した基本回路ブロックに対応する。
【０１６０】
第１ないし第４メモリ部９０１、９０３、９０５、９０７は、互いに直列接続されていて、４つのスキャン電極Ｙラインに該当する画像データが格納される。すなわち、第１メモリ部９０１は、ｌ-４番目のスキャン電極Ｙラインに該当する画像データを、第２メモリ部９０３は、ｌ-３番目のスキャン電極Ｙラインに該当する画像データを、第３メモリ部９０５は、ｌ-２番目のスキャン電極Ｙラインに該当する画像データを、第４メモリ部９０７は、ｌ-１番目のスキャン電極Ｙラインに該当する画像データを格納する。
【０１６１】
第１電流判別部９１０は、ｌ番目のスキャン電極Ｙラインの画像データと第１メモリ部９０１に格納されたｌ-４番目のスキャン電極Ｙラインの画像データとを受け取る。このような画像データを受け取った第１電流判別部９１０の電流の大きさ計算が、第２ないし第４電流判別部９３０、９５０、９７０の電流の大きさより小さいならば、スキャン順序は、図９の第４スキャンタイプＴｙｐｅ４と同様である。すなわち、Ｙ１-Ｙ５-Ｙ９-．．．．．．，Ｙ２-Ｙ６-Ｙ１０-．．．．．．，Ｙ３-Ｙ７-Ｙ１１-．．．．．．，Ｙ４-Ｙ８-Ｙ１２-．．．．．．の順にスキャンされなければならない。
【０１６２】
第１電流判別部９１０の動作は、先に説明した基本回路ブロックの動作と同じである。ｌ-４番目のスキャン電極Ｙラインに該当する画像データが、第１メモリ部９０１に格納され、ｌ番目のスキャン電極Ｙラインに該当する画像データが入力される。
【０１６３】
第１バッファｂｕｆ１は、ｌ番目のスキャン電極Ｙラインに該当する放電セルのうち、ｑ-１番目の放電セルの画像データを一時格納する。
【０１６４】
第２バッファｂｕｆ２は、第１メモリ部９０１に格納されたｌ-４番目のスキャン電極Ｙラインに該当する放電セルのうち、ｑ-１番目の放電セルの画像データを一時格納する。
【０１６５】
第１判断部ＸＯＲ１は、排他的論理和ゲート素子（exclusive OR gate）を含んで、ｌ番目のスキャン電極Ｙラインのｑ番目の放電セルの画像データｌ，ｑと第１バッファｂｕｆ１に格納されたｌ番目のスキャン電極Ｙラインのｑ-１番目の放電セルの画像データｌ，ｑ-１とを比較して、互いに異なると、Ｖａｌｕｅ＝１を出力し、互いに同じであると、Ｖａｌｕｅ＝０を出力する。
【０１６６】
第２判断部ＸＯＲ２は、排他的論理和ゲート素子を含んで、ｌ番目のスキャン電極Ｙラインのｑ-１番目の放電セルの画像データｌ，ｑ-１と第２バッファｂｕｆ２に格納されたｌ-４番目のスキャン電極Ｙラインのｑ-１番目の放電セルの画像データｌ-４，ｑ-１とを比較して、互いに異なると、Ｖａｌｕｅ＝１を出力し、互いに同じであると、Ｖａｌｕｅ＝０を出力する。
【０１６７】
第３判断部ＸＯＲ３は、排他的論理和ゲート素子を含んで、第２バッファｂｕｆ２に格納されたｌ-４番目のスキャン電極Ｙラインのｑ-１番目の放電セルの画像データｌ-４，ｑ-１と第１メモリ部９０１から出力されるｌ-４番目のスキャン電極Ｙラインのｑ番目の放電セルの画像データｌ-４，ｑとを比較して、互いに異なると、Ｖａｌｕｅ＝１を出力し、互いに同じであると、Ｖａｌｕｅ＝０を出力する。
【０１６８】
第１デコーダＤｅｃ１は、第１判断部ないし第３判断部ＸＯＲ１，ＸＯＲ２，ＸＯＲ３のそれぞれの出力信号を並列に受け取って、３ビット信号を出力する。
【０１６９】
図１５は、本発明のデータ比較部に含まれた第１ないし第３判断部ＸＯＲ１，ＸＯＲ２，ＸＯＲ３の出力信号に応じる画像データのパターン内容を示した図である。
【０１７０】
図１５に示されているように、第１ないし第３判断部ＸＯＲ１，ＸＯＲ２，ＸＯＲ３の出力信号Ｖａｌｕｅ１，Ｖａｌｕｅ２，Ｖａｌｕｅ３に応じて、変位電流の大きさを決定するキャパシタンスの大きさが変わる。
【０１７１】
第１加算部ないし第３加算部Ｉｎｔ１，Ｉｎｔ２，Ｉｎｔ３は、第１デコーダＤｅｃ１から出力された特定３ビット信号の出力回数を加算し出力する。
【０１７２】
すなわち、第１加算部Ｉｎｔ１は、第１デコーダＤｅｃ１が（０，０，１）、（０，１，１）、（１，０，０）及び（１，１，０）のうち、いずれかを出力する回数を加算Ｃ１する。第２加算部Ｉｎｔ２は、第１デコーダＤｅｃ１が（０，１，０）を出力する回数を加算Ｃ２する。第３加算部Ｉｎｔ３は、第１デコーダＤｅｃ１が（１，１，１）を出力する回数を加算Ｃ３する。
【０１７３】
第１ないし第３電流計算部Ｃａｌ１、Ｃａｌ２、Ｃａｌ３のそれぞれは、第１加算部Ｉｎｔ１、第２加算部Ｉｎｔ２及び第３加算部Ｉｎｔ３からＣ１、Ｃ２及びＣ３を受け取って、変位電流の大きさを計算する。
【０１７４】
すなわち、第１電流計算部Ｃａｌ１は、第１加算部Ｉｎｔ１の出力Ｃ１とＣｍ１＋Ｃｍ２とを乗算して、電流の大きさを計算する。第２電流計算部Ｃａｌ２は、第２加算部Ｉｎｔ２の出力Ｃ２とＣｍ２とを乗算して、電流の大きさを計算する。第３電流計算部Ｃａｌ３は、第３加算部Ｉｎｔ３の出力Ｃ３と４Ｃｍ１＋Ｃｍ２とを乗算して、電流の大きさを計算する。
【０１７５】
第１電流加算部Ａｄｄ１は、第１ないし第３電流計算部Ｃａｌ１、Ｃａｌ２、Ｃａｌ３のそれぞれから計算された変位電流の大きさを加算する。
【０１７６】
このような第１電流判別部の動作と同様に、第２ないし第４電流判別部９３０、９５０、９７０もまた、動作することによって加算された変位電流の大きさを計算する。
【０１７７】
この時、第２電流判別部９３０の第１判断部ＸＯＲ１は、排他的論理和ゲート素子（exclusive OR gate）を含んで、ｌ番目のスキャン電極Ｙラインのｑ番目の放電セルの画像データｌ，ｑと第１バッファｂｕｆ１に格納されたｌ番目のスキャン電極Ｙラインのｑ-１番目の放電セルの画像データｌ，ｑ-１とを比較して、互いに異なると、１を出力し、互いに同じであると、０を出力する。
【０１７８】
第２電流判別部９３０の第２判断部ＸＯＲ２は、排他的論理和ゲート素子を含んで、ｌ番目のスキャン電極Ｙラインのｑ-１番目の放電セルの画像データｌ，ｑ-１と第２バッファｂｕｆ２に格納されたｌ-３番目のスキャン電極Ｙラインのｑ-１番目の放電セルの画像データｌ-３，ｑ-１とを比較して、互いに異なると、１を出力し、互いに同じであると、０を出力する。
【０１７９】
第２電流判別部９３０の第３判断部ＸＯＲ３は、排他的論理和ゲート素子を含んで、第２バッファｂｕｆ２に格納されたｌ-３番目のスキャン電極Ｙラインのｑ-１番目の放電セルの画像データｌ-３，ｑ-１と第２メモリ部９０３から出力されるｌ-３番目のスキャン電極Ｙラインのｑ番目の放電セルの画像データｌ-３，ｑとを比較して、互いに異なると、１を出力し、互いに同じであると、０を出力する。
【０１８０】
また、第３電流判別部９５０の第１判断部ＸＯＲ１は、排他的論理和ゲート素子（exclusive OR gate）を含んで、ｌ番目のスキャン電極Ｙラインのｑ番目の放電セルの画像データｌ，ｑと第１バッファｂｕｆ１に格納されたｌ番目のスキャン電極Ｙラインのｑ-１番目の放電セルの画像データｌ，ｑ-１とを比較して、互いに異なると、１を出力し、互いに同じであると、０を出力する。
【０１８１】
第３電流判別部９５０の第２判断部ＸＯＲ２は、排他的論理和ゲート素子を含んで、ｌ番目のスキャン電極Ｙラインのｑ-１番目の放電セルの画像データｌ，ｑ-１と第２バッファｂｕｆ２に格納されたｌ-２番目のスキャン電極Ｙラインのｑ-１番目の放電セルの画像データｌ-２，ｑ-１とを比較して、互いに異なると、１を出力し、互いに同じであると、０を出力する。
【０１８２】
第３電流判別部９５０の第３判断部ＸＯＲ３は、排他的論理和ゲート素子を含んで、第２バッファｂｕｆ２に格納されたｌ-２番目のスキャン電極Ｙラインのｑ-１番目の放電セルの画像データｌ-２，ｑ-１と第３メモリ部９０５から出力されるｌ-２番目のスキャン電極Ｙラインのｑ番目の放電セルの画像データｌ-２，ｑとを比較して、互いに異なると、１を出力し、互いに同じであると、０を出力する。
【０１８３】
最後に、第４電流判別部９７０の第１判断部ＸＯＲ１は、排他的論理和ゲート素子（exclusive OR gate）を含んで、ｌ番目のスキャン電極Ｙラインのｑ番目の放電セルの画像データｌ，ｑと第一バッファｂｕｆ１に格納されたｌ番目のスキャン電極Ｙラインのｑ-１番目の放電セルの画像データｌ，ｑ-１とを比較して、互いに異なると、１を出力し、互いに同じであると、０を出力する。
【０１８４】
第４電流判別部９７０の第２判断部ＸＯＲ２は、排他的論理和ゲート素子を含んで、ｌ番目のスキャン電極Ｙラインのｑ-１番目セルの画像データｌ，ｑ-１と第２バッファｂｕｆ２に格納されたｌ-１番目のスキャン電極Ｙラインのｑ-１番目の放電セルの画像データｌ-１，ｑ-１とを比較して、互いに異なると、１を出力し、互いに同じであると、０を出力する。
【０１８５】
第４電流判別部９７０の第３判断部ＸＯＲ３は、排他的論理和ゲート素子を含んで、第２バッファｂｕｆ２に格納されたｌ-１番目のスキャン電極Ｙラインのｑ-１番目の放電セルの画像データｌ-１，ｑ-１と第４メモリ部９０７から出力されるｌ-１番目のスキャン電極Ｙラインのｑ番目の放電セルの画像データｌ-１，ｑとを比較して、互いに異なると、１を出力し、互いに同じであると、０を出力する。
【０１８６】
スキャン順序決定部１００１は、第１ないし第４電流判別部９１０、９３０、９５０、９７０のそれぞれが計算した変位電流の大きさを受け取って、そのうち、最も小さな変位電流を出力した電流判別部に応じて、スキャン順序を決定する。または予め設定したしきい電流以下の変位電流が発生されるスキャンタイプのうち、いずれかのスキャンタイプに応じて、スキャン電極Ｙのスキャン順序を決定する。
【０１８７】
例えば、スキャン順序決定部１００１が第２電流判別部９３０から受け取った変位電流の大きさが最も小さいと判断すれば、スキャン順序決定部１００１は、スキャン順序を図９の第３スキャンタイプＴｙｐｅ３と同様に、Ｙ１-Ｙ４-Ｙ７-．．．．．．，Ｙ２-Ｙ５-Ｙ８-．．．．．．，Ｙ３-Ｙ６-Ｙ９-．．．．．．の順にスキャンするようにする。
【０１８８】
また、スキャン順序決定部１００１が第３電流判別部９５０から受け取った変位電流の大きさが最も小さいと判断すれば、スキャン順序決定部１００１は、スキャン順序を図９の第２スキャンタイプＴｙｐｅ２と同様に、Ｙ１-Ｙ３-Ｙ５-．．．．．．，Ｙ２-Ｙ４-Ｙ６-．．．．．．の順にスキャンするようにする。
【０１８９】
最後に、スキャン順序決定部１００１が、第４電流判別部９７０から受け取った変位電流の大きさが最も小さいと判断すれば、スキャン順序決定部１００１は、スキャン順序を図９の第１スキャンタイプＴｙｐｅ１と同様に、Ｙ１-Ｙ２-Ｙ３-Ｙ４-Ｙ５-Ｙ６-．．．．．．の順にスキャンするようにする。
【０１９０】
一方、上述した図１１で説明した本発明のプラズマディスプレイ装置におけるスキャン駆動部のデータ比較部１０００に含まれる基本回路ブロックを、このような図１１とは異なるように構成することもできるが、これを添付した図１６を参照して説明する。
【０１９１】
図１６は、本発明のプラズマディスプレイ装置のスキャン駆動部に含まれるデータ比較部１０００に含まれる基本回路ブロックの他の構成を説明するための構成図である。
【０１９２】
図１６に示されているように、図１６の基本回路ブロックは、ｌ番目のスキャン電極ライン上に、ｑ番目のピクセルとｑ-１番目のピクセルとのＲ，Ｇ，Ｂセルに該当する画像データの変化、ｌ-１番目のスキャンライン上に、ｑ番目のピクセルとｑ-１番目のピクセルとのＲ，Ｇ，Ｂセルに該当する画像データの変化と、ｌ番目のスキャン電極ライン上のｑ番目のピクセルとｌ-１番目のスキャン電極ライン上のｑ-１番目のピクセルとのＲ，Ｇ，Ｂセルに該当する画像データの変化を介して、変位電流の大きさを計算する。
【０１９３】
第１メモリ部ないし第３メモリ部Ｍｅｍｏｒｙ１、Ｍｅｍｏｒｙ２、Ｍｅｍｏｒｙ３は、それぞれｌ-１番目のスキャン電極ラインのＲセルに該当する画像データ、Ｇセルに該当する画像データ及びＢセルに該当する画像データを一時格納する。
【０１９４】
第１判断部ないし第３判断部ＸＯＲ１，ＸＯＲ２，ＸＯＲ３は、ｌ番目のスキャン電極ライン上のｑ番目のピクセルのＲ，Ｇ，Ｂセルに該当する画像データ間の変化を判断する。
【０１９５】
すなわち、第１判断部ＸＯＲ１は、ｌ番目のスキャン電極ライン上のｑ番目のピクセルのＲセルに該当する画像データｌ，ｑＲとｌ番目のスキャン電極ライン上のｑ番目のピクセルのＧセルに該当する画像データｌ，ｑＧとを比較して、同じであると、論理値１を出力し、異なると、論理値０を出力する。
【０１９６】
第２判断部ＸＯＲ２は、ｌ番目のスキャン電極ライン上のｑ番目のピクセルのＧセルに該当する画像データｌ，ｑＧとｌ番目のスキャン電極ライン上のｑ番目のピクセルのＢセルに該当する画像データｌ，ｑＢとを比較して、同じであると、論理値１を出力し、異なると、論理値０を出力する。
【０１９７】
第３判断部ＸＯＲ３は、ｌ番目のスキャン電極ライン上のｑ番目のピクセルのＢセルに該当する画像データｌ，ｑＢとｌ番目のスキャン電極ライン上のｑ-１番目のピクセルのＲセルに該当する画像データｌ，ｑ-１Ｒとを比較して、同じであると、論理値１を出力し、異なると、論理値０を出力する。
【０１９８】
第４判断部ないし第６判断部ＸＯＲ４，ＸＯＲ５，ＸＯＲ６は、ｌ-１番目のスキャン電極ライン上のｑ番目のピクセルのＲ，Ｇ，Ｂセルに該当する画像データ間の変化を判断する。
【０１９９】
すなわち、第４判断部ＸＯＲ４は、ｌ-１番目のスキャン電極ライン上のｑ番目のピクセルのＲセルに該当する画像データｌ-１，ｑＲとｌ-１番目のスキャン電極ライン上のｑ番目のピクセルのＧセルに該当する画像データｌ-１，ｑＧとを比較して、同じであると、論理値１を出力し、異なると、論理値０を出力する。
【０２００】
第５判断部ＸＯＲ５は、ｌ-１番目のスキャン電極ライン上のｑ番目のピクセルのＧセルに該当する画像データｌ-１，ｑＧとｌ-１番目のスキャン電極ライン上のｑ番目のピクセルのＢセルに該当する画像データｌ-１，ｑＢとを比較して、同じであると、論理値１を出力し、異なると、論理値０を出力する。
【０２０１】
第６判断部ＸＯＲ６は、ｌ-１番目のスキャン電極ライン上のｑ番目のピクセルのＢセルに該当する画像データｌ-１，ｑＢとｌ-１番目のスキャン電極ライン上のｑ-１番目のピクセルのＲセルに該当する画像データｌ-１，ｑ-１Ｒとを比較して、同じであると、論理値１を出力し、異なると、論理値０を出力する。
【０２０２】
第７判断部ないし第９判断部ＸＯＲ７，ＸＯＲ８，ＸＯＲ９は、ｌ番目のスキャン電極ライン上のｑ番目のピクセルのＲ，Ｇ，Ｂセルに該当する画像データのそれぞれとｌ-１番目のスキャン電極ライン上のｑ番目のピクセルのＲ，Ｇ，Ｂセルに該当する画像データのそれぞれとを比較して、画像データ間の変化を判断する。
【０２０３】
すなわち、第７判断部ＸＯＲ７は、ｌ番目のスキャン電極ライン上のｑ番目のピクセルのＲセルに該当する画像データｌ，ｑＲとｌ-１番目のスキャン電極ライン上のｑ番目のピクセルのＲセルに該当する画像データｌ-１，ｑＲとを比較して、同じであると、論理値１を出力し、異なると、論理値０を出力する。
【０２０４】
第８判断部ＸＯＲ８は、ｌ番目のスキャン電極ライン上のｑ番目のピクセルのＧセルに該当する画像データｌ，ｑＧとｌ-１番目のスキャン電極ライン上のｑ番目のピクセルのＧセルに該当する画像データｌ-１，ｑＧとを比較して、同じであると、論理値１を出力し、異なると、論理値０を出力する。
【０２０５】
第９判断部ＸＯＲ９は、ｌ番目のスキャン電極ライン上のｑ番目のピクセルのＢセルに該当する画像データｌ，ｑＢとｌ-１番目のスキャン電極ライン上のｑ番目のピクセルのＢセルに該当する画像データｌ-１，ｑＢとを比較して、同じであると、論理値１を出力し、異なると、論理値０を出力する。
【０２０６】
デコーダＤｅｃは、第１ないし第３判断部ＸＯＲ１，ＸＯＲ２，ＸＯＲ３のそれぞれの出力信号Ｖａｌｕｅ１，Ｖａｌｕｅ２，Ｖａｌｕｅ３、第４ないし第６判断部ＸＯＲ４，ＸＯＲ５，ＸＯＲ６のそれぞれの出力信号Ｖａｌｕｅ４，Ｖａｌｕｅ５，Ｖａｌｕｅ６と、第７ないし第９判断部ＸＯＲ７，ＸＯＲ８，ＸＯＲ９のそれぞれの出力信号Ｖａｌｕｅ７，Ｖａｌｕｅ８，Ｖａｌｕｅ９とに該当する３ビットの信号を出力する。
【０２０７】
図１７は、本発明の図１６の回路ブロックに含まれた第１ないし第９判断部ＸＯＲ１〜ＸＯＲ９の出力信号に応じる画像データのパターン内容を示した図である。
【０２０８】
図１７に示されているように、第１加算部ないし第３加算部Ｉｎｔ１，Ｉｎｔ２，Ｉｎｔ３のそれぞれは、デコーダＤｅｃから第１ないし第３判断部ＸＯＲ１，ＸＯＲ２，ＸＯＲ３の出力信号Ｖａｌｕｅ１，Ｖａｌｕｅ２，Ｖａｌｕｅ３に該当する３ビット信号の出力回数を加算Ｃ１、Ｃ２、Ｃ３し出力する。
【０２０９】
第４加算部ないし第６加算部Ｉｎｔ４，Ｉｎｔ５，Ｉｎｔ６のそれぞれは、デコーダＤｅｃから第４ないし第６判断部ＸＯＲ４，ＸＯＲ５，ＸＯＲ６の出力信号Ｖａｌｕｅ４，Ｖａｌｕｅ５，Ｖａｌｕｅ６に該当する３ビット信号の出力回数を加算Ｃ４，Ｃ５，Ｃ６し出力する。
【０２１０】
第７加算部ないし第９加算部Ｉｎｔ７，Ｉｎｔ８，Ｉｎｔ９のそれぞれは、デコーダＤｅｃから第７ないし第９判断部ＸＯＲ７，ＸＯＲ８，ＸＯＲ９の出力信号Ｖａｌｕｅ７，Ｖａｌｕｅ８，Ｖａｌｕｅ９に該当する３ビット信号の出力回数を加算Ｃ７，Ｃ８，Ｃ９し出力する。
【０２１１】
第１電流計算部ないし第３電流計算部Ｃａｌ１，Ｃａｌ２，Ｃａｌ３のそれぞれは、第１加算部Ｉｎｔ１、第２加算部Ｉｎｔ２及び第３加算部Ｉｎｔ３からＣ１，Ｃ２及びＣ３を受け取って、変位電流の大きさを計算する。
【０２１２】
第４電流計算部ないし第６電流計算部Ｃａｌ４，Ｃａｌ５，Ｃａｌ６のそれぞれは、第４加算部Ｉｎｔ４、第５加算部Ｉｎｔ５及び第６加算部Ｉｎｔ６からＣ４，Ｃ５及びＣ６を受け取って、変位電流の大きさを計算する。
【０２１３】
第７電流計算部ないし第９電流計算部Ｃａｌ７，Ｃａｌ８，Ｃａｌ９のそれぞれは、第７加算部Ｉｎｔ７、第８加算部Ｉｎｔ８及び第９加算部Ｉｎｔ９からＣ７，Ｃ８及びＣ９を受け取って、変位電流の大きさを計算する。
【０２１４】
第１電流加算部Ａｄｄ１は、第１ないし第３電流計算部Ｃａｌ１，Ｃａｌ２，Ｃａｌ３のそれぞれから計算された変位電流の大きさを加算する。
【０２１５】
第２電流加算部Ａｄｄ２は、第４ないし第６電流計算部Ｃａｌ４，Ｃａｌ５，Ｃａｌ６のそれぞれから計算された変位電流の大きさを加算する。
【０２１６】
第３電流加算部Ａｄｄ３は、第７ないし第９電流計算部Ｃａｌ７，Ｃａｌ８，Ｃａｌ９のそれぞれから計算された変位電流の大きさを加算する。
【０２１７】
このようにして、それぞれのセルに該当する画像データの変化に対する変位電流の大きさを計算できる。
【０２１８】
図１８は、上述した図１６ないし図１７を考慮した本発明のプラズマディスプレイ装置におけるスキャン駆動部のデータ比較部１０００とスキャン順序決定部１００１とのブロック構成図である。
【０２１９】
図１８に示されているように、図１６ないし図１７を考慮したデータ比較部１０００は、図１８に示された４つの基本回路ブロック、すなわち第１電流判別部ないし第４電流判別部９１０´，９２０´，９３０´，９４０´が接続されている構造であり、スキャン順序決定部１００１は、４つの基本回路ブロックの出力を比較して、最も小さな変位電流を発生するスキャン順序を決定する。
【０２２０】
この時、第１電流判別部９１０´は、画像データｌ，ｑＲと画像データｌ，ｑＧ、画像データｌ，ｑＧと画像データｌ，ｑＢ、画像データｌ，ｑＢと画像データｌ，ｑ-４Ｒ、画像データｌ-４，ｑＲと画像データｌ-４，ｑＧ、画像データｌ-４，ｑＧと画像データｌ-４，ｑＢ、画像データｌ-４，ｑＢとｌ-４，ｑ-１Ｒ、画像データｌ，ｑＲと画像データｌ-４，ｑＲ、画像データｌ，ｑＧとｌ-４，ｑＧ及び画像データｌ，ｑＢと画像データｌ-４，ｑＢのそれぞれを比較する。
【０２２１】
この時、ｌとｌ-４は、ｌ番目のスキャン電極ラインとｌ-４番目のスキャン電極ラインを意味する。ｑＲ、ｑＧ及びｑＢは、ｑ番目のピクセルのＲ，Ｇ，Ｂセルのそれぞれを意味する。ｑ-１Ｒ、ｑ-１Ｇ及びｑ-１Ｂは、ｑ-１番目のピクセルのＲ，Ｇ，Ｂセルのそれぞれを意味する。
【０２２２】
したがって、第１電流判別部９１０´は、上記のような画像データを比較して、Ｔｙｐｅ４のスキャン順序に対応する変位電流の大きさを計算する。
【０２２３】
第２電流判別部９２０´は、画像データｌ，ｑＲと画像データｌ，ｑＧ、画像データｌ，ｑＧと画像データｌ，ｑＢ、画像データｌ，ｑＢと画像データｌ，ｑ-１Ｒ、画像データｌ-３，ｑＲと画像データｌ-３，ｑＧ、画像データｌ-３，ｑＧと画像データｌ-３，ｑＢ、画像データｌ-３，ｑＢとｌ-３，ｑ-１Ｒ、画像データｌ，ｑＲと画像データｌ-３，ｑＲ、画像データｌ，ｑＧとｌ-３，ｑＧ及び画像データｌ，ｑＢと画像データｌ-３，ｑＢのそれぞれを比較する。この時、ｌとｌ-３は、ｌ番目のスキャン電極ラインとｌ-３番目のスキャン電極ラインを意味する。
【０２２４】
したがって、第２電流判別部９２０´は、上記のような画像データを比較して、Ｔｙｐｅ３のスキャン順序に対応する変位電流の大きさを計算する。
【０２２５】
第３電流判別部９３０´は、画像データｌ，ｑＲと画像データｌ，ｑＧ、画像データｌ，ｑＧと画像データｌ，ｑＢ、画像データｌ，ｑＢと画像データｌ，ｑ-１Ｒ、画像データｌ-２，ｑＲと画像データｌ-２，ｑＧ、画像データｌ-２，ｑＧと画像データｌ-２，ｑＢ、画像データｌ-２，ｑＢとｌ-２，ｑ-１Ｒ、画像データｌ，ｑＲと画像データｌ-２，ｑＲ、画像データｌ，ｑＧと画像データｌ-２，ｑＧ及び画像データｌ，ｑＢと画像データｌ-２，ｑＢのそれぞれを比較する。この時、ｌとｌ-２は、ｌ番目のスキャン電極ラインとｌ-２番目のスキャン電極ラインを意味する。
【０２２６】
したがって、第３電流判別部９３０´は、上記のような画像データを比較してＴｙｐｅ２のスキャン順序に対応する変位電流の大きさを計算する。
【０２２７】
第４電流判別部９４０´は、画像データｌ，ｑＲと画像データｌ，ｑＧ、画像データｌ，ｑＧと画像データｌ，ｑＢ、画像データｌ，ｑＢと画像データｌ，ｑ-１Ｒ、画像データｌ-１，ｑＲと画像データｌ-１，ｑＧ、画像データｌ-１，ｑＧと画像データｌ-１，ｑＢ、画像データｌ-１，ｑＢと画像データｌ-１，ｑ-１Ｒ、画像データｌ，ｑＲと画像データｌ-１，ｑＲ、画像データｌ，ｑＧとｌ-１，ｑＧ及び画像データｌ，ｑＢと画像データｌ-１，ｑＢのそれぞれを比較する。この時、ｌとｌ-１は、ｌ番目のスキャン電極ラインとｌ-１番目のスキャン電極ラインを意味する。
【０２２８】
したがって、第４電流判別部９４０´は、上記のような画像データを比較してＴｙｐｅ１のスキャン順序に対応する変位電流の大きさを計算する。
【０２２９】
スキャン順序決定部１００１は、第１ないし第４電流判別部９１０´，９２０´，９３０´，９４０´のそれぞれが計算した変位電流の大きさを受け取って、そのうち、最も小さな変位電流を出力した電流判別部に応じて、スキャン順序を決定する。
【０２３０】
例えば、スキャン順序決定部１００１が、第２電流判別部９２０´から受け取った変位電流の大きさが最も小さいと判断すれば、スキャン順序決定部１００１は、スキャン順序を図９の第３スキャンタイプＴｙｐｅ３と同様に、Ｙ１-Ｙ４-Ｙ７-．．．．．．，Ｙ２-Ｙ５-Ｙ８-．．．．．．，Ｙ３-Ｙ６-Ｙ９-．．．．．．の順にスキャンするようにする。
【０２３１】
また、スキャン順序決定部１００１が、第３電流判別部９３０´から受け取った変位電流の大きさが最も小さいと判断すれば、スキャン順序決定部１００１は、スキャン順序を図９の第２スキャンタイプＴｙｐｅ２と同様に、Ｙ１-Ｙ３-Ｙ５-．．．．．．，Ｙ２-Ｙ４-Ｙ６-．．．．．．の順にスキャンするようにする。
【０２３２】
図１９は、本発明に係るデータ比較部とスキャン順序決定部とが、各サブフィールド別に採用される実施の形態のブロック構成図である。
【０２３３】
図１９に示されているように、第１サブフィールドＳＦ１用データ比較部ないし第１６サブフィールドＳＦ１６用データ比較部のそれぞれは、複数個のスキャンタイプに対する該当サブフィールドにおける画像パターンに応じる変位電流の大きさを計算して、一時格納部８００に格納する。
【０２３４】
このような第１サブフィールドＳＦ１用データ比較部ないし第１６サブフィールドＳＦ１６用データ比較部のそれぞれは、図１４に示されたデータ比較部のブロック構成と同一であり、各サブフィールドにおける画像データのパターンに応じる変位電流の大きさを複数個のスキャンタイプに対して算出して、一時格納部８００に格納する。
【０２３５】
スキャン順序決定部１００１は、一時格納部８００から入力された各サブフィールド別画像データのパターンに応じる変位電流の大きさを比較して、変位電流が最も小さな画像データのパターンを把握して、スキャン順序を各サブフィールドごとに決定する。
【０２３６】
このように本発明に係るプラズマディスプレイ装置及びその駆動方法は、複数個のスキャンタイプ各々に該当するスキャン電極ライン間の変位電流を計算し、変位電流の大きさが最も小さなスキャンタイプに該当するラインを順次にスキャンすることを特徴とする。
【０２３７】
すなわち、図９は、各々のスキャンタイプが一定個数だけ規則的に隔てられたライン間の変位電流を計算して、最も変位電流の小さなスキャンタイプを選択するものであるが、不規則的にあるいは任意の規則に応じて隔てられたライン間の変位電流を計算して、最も変位電流の小さなスキャンタイプを選択できることはもちろんである。また、上記では、静電容量Ｃｍ１とＣｍ２のうち、少なくとも１つ以上を含む重み付け値Ｃｍ２，Ｃｍ１＋Ｃｍ２，または４Ｃｍ１＋Ｃｍ２を使用して変位電流を算出したが、重み付け値を使用せずに、変位電流が流れない場合には、変位電流の大きさを「ｕ０」ｖとし、変位電流が流れる場合には、変位電流の大きさを「ｕ１」ｖとして、「ｕ０」ｖまたは「ｕ１」ｖの値を加算して、サブフィールドの変位電流の大きさを求めても良い。例えば、図１１において、第１〜第３加算部７３６-１〜７３６-３を１つの加算部で構成し、電流算出部７３７-１〜７３７-３及び電流加算部７３８を省略しても良い。この場合、１つの加算部でＣ１，Ｃ２，Ｃ３の出力回数をカウントし、カウント値自体を変位電流として算出する。
【０２３８】
一方、以上で説明した複数個のスキャンタイプのうち、いずれかのスキャンタイプでスキャン電極Ｙをスキャニングするサブフィールドは、１つのフレーム内で任意に決定され得るが、これを添付した図２０を参照して説明すれば、次の通りである。
【０２３９】
図２０は、１つのフレーム内で複数個のスキャンタイプのうち、いずれかのスキャンタイプでスキャン電極Ｙをスキャニングするサブフィールドを選択する方法の一例を説明するための図である。
【０２４０】
図２０に示されているように、１つのフレームに含まれたサブフィールドのうち、階調重み付け値が最も低い第１サブフィールドのみで、上述した図９の第１スキャンタイプＴｙｐｅ１でスキャン電極Ｙをスキャニングし、残りのサブフィールドでは、通常の方法でスキャニングし、すなわち順次的なスキャニング方法でスキャン電極Ｙをスキャニングする。さらに詳細に表現すれば、１フレームのサブフィールドのうち選択された１つ以上のサブフィールドで複数個のスキャンタイプに対して変位電流を算出し、前記各サブフィールドごとに、上述した変位電流が最小となるスキャンタイプでスキャン電極Ｙをスキャニングする。
【０２４１】
しかし、上述した図１９のように、１つのフレームに含まれた各サブフィールドごとに、複数個のスキャンタイプに対して変位電流を算出し、各サブフィールドごとに、変位電流が最小となるスキャンタイプでスキャン電極Ｙをスキャニングすることがさらに好ましい。
【０２４２】
以上の説明を考慮すれば、画像データのパターンが第１パターンと第２パターンとを含む場合、このような画像データの第１パターンでのスキャニング順序と第２パターンでのスキャニング順序とが異なり得ることが分かる。これを添付した図２１を参照してさらに詳細に説明すれば、次の通りである。
【０２４３】
図２１は、２つの互いに異なる画像データのパターンにおいて、スキャン順序が異なり得ることを示すための図である。
【０２４４】
図２１に示されているように、（ａ）には、上下及び左右方向に論理レベル「１」と論理レベル「０」とが交互に配置される画像データのパターンが現れており、（ｂ）には、左右方向には論理レベルが「１」と「０」とが交互に配置されるが、上下方向には論理レベルが変わらない画像データのパターンが現れている。
【０２４５】
ここで、（ａ）の画像データパターンの場合には、スキャン電極Ｙのスキャン順序がＹ１-Ｙ３-Ｙ５-Ｙ７-Ｙ２-Ｙ４-Ｙ６の順序であり、（ｂ）の画像データパターンの場合には、スキャン電極Ｙのスキャン順序がＹ１-Ｙ２-Ｙ３-Ｙ４-Ｙ５-Ｙ６-Ｙ７の順序である。すなわち、画像データが（ａ）のようなパターンである場合と（ｂ）のようなパターンである場合、スキャン電極Ｙのスキャン順序が互いに異なる。
【０２４６】
このように、スキャン電極Ｙのスキャン順序が調整される理由は、既に詳細に説明したので、これ以上の詳細な説明は省略する。
【０２４７】
一方、上述したように、画像データのパターンを考慮してスキャン電極Ｙのスキャニング順序を調整する場合には、画像データパターンに対するしきい値を設定し、このように予め設定されたしきい値に応じて、スキャニング順序を調整することが好ましいが、これを添付した図２２を参照して説明すれば、次の通りである。
【０２４８】
図２２は、画像データパターンに応じるしきい値を設定して、スキャニング順序を調整する方法の一例を説明するための図である。
【０２４９】
図２２に示されているように、（ａ）には、画像データが全てハイレバル、すなわち論理レベル「１」である場合を示しており、（ｂ）には、画像データがＹ１，Ｙ２，Ｙ３スキャン電極ライン上では、全て論理レベル「１」であり、Ｙ４スキャン電極ライン上には、全て論理レベル「０」である場合を示しており、（ｃ）では、Ｙ１及びＹ２スキャン電極ラインの１番目と２番目とが論理レベル「１」であり、３番目と４番目とは論理レベル「０」であろ、Ｙ３及びＹ４スキャン電極ライン上では、全て論理レベル「１」である場合を示しており、（ｄ）では、論理レベル「１」と「０」とが交互に配置される場合を示している。
【０２５０】
ここで、（ａ）では、データドライバ集積回路のスイッチングが発生しなかったため、総スイッチング回数は０であり、（ｂ）では、上下方向に総４回のデータドライバ集積回路のスイッチングが発生し、（ｃ）では、上下方向に総２回及び左右方向に総２回のスイッチングが発生し、（ｄ）では、上下方向に総１２回及び左右方向に総１２回のスイッチングが発生する。これを見ると、（ｄ）の場合が、パターンに応じるロード（Load）が最も大きい場合であることが分かる。
【０２５１】
ここで、上述したデータのパターンに応じるロード値は、既に詳細に説明した通り、該当するデータパターンの横方向のロード値と縦方向のロード値との加算により求められることが好ましい。
【０２５２】
この時、予め設定されたしきいロード値が上下方向に総１０回のスイッチングと左右方向に総１０回のスイッチングに応じるロードであると仮定すれば、上述した（ａ），（ｂ），（ｃ），（ｄ）のパターンのうち、最後の（ｄ）の場合だけが予め設定されたしきいロード値を越えるようになる。
【０２５３】
このように、しきいロード値を越えるという意味は、データのパターンに応じる変位電流の大きさが、予め設定されたしきい電流以上であることを意味することが、以上の本発明に対する説明から分かる。
【０２５４】
この場合、（ｄ）のパターンが、画像データが供給される時スキャン電極Ｙ等のスキャニング順序を調整できる。このようなスキャン電極Ｙのスキャニング順序の調整は、既に詳細に説明したので、重複した説明は省略する。
【０２５５】
一方、以上の説明では、各々１つずつのスキャン電極Ｙに対応するスキャン順序を有するスキャンタイプを決定し、このようなスキャンタイプに応じて、上述した１つずつのスキャン電極Ｙに対応するスキャン順序に応じてスキャニングを行なったが、これとは異なって、複数のスキャン電極Ｙをスキャン電極群に設定し、これに対応するスキャン順序を決定することができる。これを添付した図２３を参照して説明するば、次の通りである。
【０２５６】
図２３は、各々複数のスキャン電極Ｙを含むスキャン電極群に対応するスキャン順序を決定する方法の一例を説明するための図である。
【０２５７】
図２３に示されているように、Ｙ１，Ｙ２，Ｙ３スキャン電極が、第１スキャン電極群に設定され、Ｙ４，Ｙ５，Ｙ６スキャン電極が、第２スキャン電極群に設定され、Ｙ７，Ｙ８，Ｙ９スキャン電極が、第３スキャン電極群に設定され、Ｙ１０，Ｙ１１，Ｙ１２スキャン電極が、第４スキャン電極群に設定される。ここ図２３では、各々のスキャン電極群が４つずつのスキャン電極を含むように設定されたが、これとは異なって、２つ、３つ、５つ等、多様な設定が可能である。
【０２５８】
また、複数のスキャン電極群のうち、１つ以上が他のスキャン電極群と異なる個数のスキャン電極Ｙを含むように設定することも可能である。例えば、第１スキャン電極群には、２つのスキャン電極Ｙ、第２スキャン電極群には、４つのスキャン電極Ｙが含まれるようにすることができる。
【０２５９】
このようにスキャン電極群に設定された場合、上述した図９の第２タイプＴｙｐｅ２を採用するならば、ここ図２３と同様に、第１スキャン電極群のスキャニングの後に第３スキャン電極群をスキャニングし、次に第２スキャン電極群と第４スキャン電極群とを順次にスキャニングする。言い換えれば、スキャニング順序が、Ｙ１，Ｙ２，Ｙ３，Ｙ７，Ｙ８，Ｙ９，Ｙ４，Ｙ５，Ｙ６，Ｙ１０，Ｙ１１，Ｙ１２である。
【図面の簡単な説明】
【０２６０】
【図１】プラズマディスプレイパネルの等価キャパシタンス（Ｃ）を説明するための図である。
【図２】本発明のプラズマディスプレイ装置を説明するための図である。
【図３】本発明に係るプラズマディスプレイパネルの構造の一例を説明するための図である。
【図４】本発明のプラズマディスプレイ装置における画像の階調を具現する方法を示した図である。
【図５Ａ】本発明のプラズマディスプレイ装置の駆動方法を説明するための図である。
【図５Ｂ】本発明のプラズマディスプレイ装置の駆動方法を説明するための図である。
【図５Ｃ】本発明のプラズマディスプレイ装置の駆動方法を説明するための図である。
【図５Ｄ】本発明のプラズマディスプレイ装置の駆動方法を説明するための図である。
【図６】１つのフレーム内で所定のサブフィールドのみで第１サステインバイアス電圧Ｖｚｂ１を供給する一例を説明するための図である。
【図７】入力される画像データに応じる変位電流の大きさを説明するための図である。
【図８Ａ】画像データと、これに応じる変位電流を考慮したスキャン順序を変更する方法の一例を説明するための図である。
【図８Ｂ】画像データと、これに応じる変位電流を考慮したスキャン順序を変更する方法の一例を説明するための図である。
【図９】本発明のプラズマディスプレイ装置の駆動方法における他の採用例を説明するための図である。
【図１０】本発明のプラズマディスプレイ装置の駆動方法を実現するためのスキャン駆動部の構成及び動作をさらに詳細に説明するための図である。
【図１１】本発明のプラズマディスプレイ装置のスキャン駆動部に含まれるデータ比較部１０００に含まれる基本回路ブロックの構成図である。
【図１２】データ比較部の第１判断部ないし第３判断部の動作をさらに詳細に説明するための図である。
【図１３】本発明のデータ比較部の基本回路ブロックに含まれた第１ないし第３判断部７３４-１，７３４-２，７３４-３の出力信号に応じる画像データのパターン内容を示した図である。
【図１４】本発明のプラズマディスプレイ装置におけるスキャン駆動部のデータ比較部１０００とスキャン順序決定部１００１とのブロック構成図である。
【図１５】本発明のデータ比較部に含まれた第１ないし第３判断部ＸＯＲ１，ＸＯＲ２，ＸＯＲ３の出力信号に応じる画像データのパターン内容を示した図である。
【図１６】本発明のプラズマディスプレイ装置におけるスキャン駆動部のデータ比較部１０００に含まれる基本回路ブロックの他の構成を説明するための構成図である。
【図１７】本発明の図１６の回路ブロックに含まれた第１ないし第９判断部ＸＯＲ１〜ＸＯＲ９の出力信号に応じる画像データのパターン内容を示した図である。
【図１８】上述した図１６ないし図１７を考慮した本発明のプラズマディスプレイ装置におけるスキャン駆動部のデータ比較部１０００とスキャン順序決定部１００１とのブロック構成図である。
【図１９】本発明に係るデータ比較部とスキャン順序決定部が各サブフィールド別に採用される実施の形態のブロック構成図である。
【図２０】１つのフレーム内で複数個のスキャンタイプのうち、いずれかのスキャンタイプでスキャン電極Ｙをスキャニングするサブフィールドを選択する方法の一例を説明するための図である。
【図２１】２つの互いに異なる画像データのパターンにおいて、スキャン順序が異なり得ることを示すための図である。
【図２２】画像データパターンに応じるしきい値を設定して、スキャニング順序を調整する方法の一例を説明するための図である。
【図２３】各々複数のスキャン電極Ｙを含むスキャン電極グループに対応するスキャン順序を決定する方法の一例を説明するための図である。
【図１】
2007094349.tif 000003
【図３】
2007094349.tif 000004
【図５Ｂ】
2007094349.tif 000005
【図５Ｃ】
2007094349.tif 000006
【図５Ｄ】
2007094349.tif 000007
【図６】
2007094349.tif 000008
【図７】
2007094349.tif 000009
【図８Ａ】
2007094349.tif 000010
【図８Ｂ】
2007094349.tif 000011
【図９】
2007094349.tif 000012
【図１０】
2007094349.tif 000013
【図１１】
2007094349.tif 000014
【図１２】
2007094349.tif 000015
【図１３】
2007094349.tif 000016
【図１４】
2007094349.tif 000017
【図１５】
2007094349.tif 000018
【図１６】
2007094349.tif 000019
【図１７】
2007094349.tif 000020
【図１８】
2007094349.tif 000021
【図１９】
2007094349.tif 000022
【図２０】
2007094349.tif 000023
【図２１】
2007094349.tif 000024
【図２２】
2007094349.tif 000025
【図２３】
2007094349.tif 000026
【図２】
2007094349.tif 000027
【図４】
2007094349.tif 000028
【図５Ａ】
2007094349.tif 000029